(57)【要約】【課題】２つの画素群に画像をそれぞれ表示させるに際し、各画素群で輝度ムラのない表示を得ることができる有機ＥＬ表示装置およびその駆動方法を提供する。【解決手段】ドライバＩＣ１２により、有機ＥＬ画素１３、１４に流れる電流密度（＝駆動電流／画素面積）と有機ＥＬ画素１３、１４の点灯時間との積が一定になるように、各有機ＥＬ画素１３、１４の点灯時間を制御する。これにより、ドット表示部７の有機ＥＬ画素１３の画素面積とセグメント表示部８の有機ＥＬ画素１４の画素面積とが異なっていたとしても、各有機ＥＬ画素１３、１４の表示輝度をそれぞれ均一にすることができ、ドット表示部７およびセグメント表示部８で輝度ムラのない表示が得られる。【選択図】図１
2014194578.tif 000002
【特許請求の範囲】
【請求項１】
１走査線（１０）に対し複数の均一な画素面積の有機ＥＬ画素（１３）を有する第１画素群（７）と、
１走査線（１１）に対し前記第１画素群（７）の有機ＥＬ画素（１３）とは画素面積が異なる１つ以上の有機ＥＬ画素（１４）を有する第２画素群（８）と、
前記第１画素群（７）と前記第２画素群（８）とをそれぞれ駆動するドライバ（５、１２）と、を備え、
前記ドライバ（５、１２）により、前記有機ＥＬ画素（１３、１４）の画素面積に応じて、前記有機ＥＬ画素（１３、１４）に流れる電流密度と前記有機ＥＬ画素（１３、１４）の点灯時間との積が一定になるように、当該点灯時間を制御する有機ＥＬ表示装置であって、
前記有機ＥＬ画素（１３、１４）の減光をＰＷＭ制御で行い、
前記ドライバ（５、１２）は、前記減光を行っている時に、前記第１画素群（７）に画像を表示する第１選択期間（４５）では、走査期間とその次の走査期間との間に、走査期間中に前記有機ＥＬ画素（１３、１４）に形成される寄生容量に充電された電荷を放電するリセット駆動を行い、前記第２画素群（８）に画像を表示する第２選択期間（４６）では前記リセット駆動を停止することを特徴とする有機ＥＬ表示装置。
【請求項２】
１走査線（１０）に対し複数の均一な画素面積および発光効率特性を持つ有機ＥＬ画素（１３）を有する第１画素群（７）と、
１走査線（１１）に対し前記第１画素群（７）の有機ＥＬ画素（１３）とは画素面積および発光効率特性が異なる１つ以上の有機ＥＬ画素（１４）を有する第２画素群（８）と、
前記第１画素群（７）と前記第２画素群（８）とをそれぞれ駆動するドライバ（５、１２）と、を備え、
前記ドライバ（５、１２）により、前記有機ＥＬ画素（１３、１４）の画素面積および発光効率特性に応じて、前記有機ＥＬ画素（１３、１４）に流れる電流密度と前記有機ＥＬ画素（１３、１４）の相対的な発光効率比と前記有機ＥＬ画素（１３、１４）の点灯時間との積が一定になるように、当該点灯時間を制御する有機ＥＬ表示装置であって、
前記有機ＥＬ画素（１３、１４）の減光をＰＷＭ制御で行い、
前記ドライバ（５、１２）は、前記減光を行っている時に、前記第１画素群（７）に画像を表示する第１選択期間（４５）では、走査期間とその次の走査期間との間に、走査期間中に前記有機ＥＬ画素（１３、１４）に形成される寄生容量に充電された電荷を放電するリセット駆動を行い、前記第２画素群（８）に画像を表示する第２選択期間（４６）では前記リセット駆動を停止することを特徴とする有機ＥＬ表示装置。
【請求項３】
前記第１画素群（７）の面積をＳとし、前記第２画素群（８）のある画素の面積をＳｘとし、前記ドライバ（５、１２）が持つ走査線数をＭとし、前記第１画素群（７）の走査線数をｍとすると、
前記第２画素群（８）のある画素がＳｘ≦（Ｍ−ｍ）×Ｓの関係を満たすことを特徴とする請求項１または２に記載の有機ＥＬ表示装置。
【請求項４】
前記第１画素群（７）の面積をＳとし、前記第２画素群（８）のある画素の面積をＳｘとし、前記ドライバ（５、１２）が持つ走査線数をＭとし、前記第１画素群（７）の走査線数をｍとすると、
前記第２画素群（８）のある画素がＳｘ＞（Ｍ−ｍ）×Ｓの関係を満たす場合、前記第２画素群（８）のある画素はＳｘ’≦（Ｍ−ｍ）×Ｓを満たすように前記第２画素群（８）の有機ＥＬ画素（１４）が分割されていることを特徴とする請求項１ないし３のいずれか１つに記載の有機ＥＬ表示装置。
【請求項５】
前記第２画素群（８）の有機ＥＬ画素（１４）は、それぞれ同じ面積となるように複数に分割されていることを特徴とする請求項４に記載の有機ＥＬ表示装置。
【請求項６】
１走査線（１０）に対し複数の均一な発光効率特性を持つ有機ＥＬ画素（１３）を有する第１画素群（７）と、
１走査線（１１）に対し前記第１画素群（７）の有機ＥＬ画素（１３）とは発光効率特性が異なる１つ以上の有機ＥＬ画素（１４）を有する第２画素群（８）と、
前記第１画素群（７）と前記第２画素群（８）とをそれぞれ駆動するドライバ（５、１２）と、を備え、
前記ドライバ（５、１２）により、前記有機ＥＬ画素（１３、１４）の発光効率特性に応じて、前記有機ＥＬ画素（１３、１４）の相対的な発光効率比と前記有機ＥＬ画素（１３、１４）の点灯時間との積が一定になるように、当該点灯時間を制御する有機ＥＬ表示装置であって、
前記有機ＥＬ画素（１３、１４）の減光をＰＷＭ制御で行い、
前記ドライバ（５、１２）は、前記減光を行っている時に、前記第１画素群（７）に画像を表示する第１選択期間（４５）では、走査期間とその次の走査期間との間に、走査期間中に前記有機ＥＬ画素（１３、１４）に形成される寄生容量に充電された電荷を放電するリセット駆動を行い、前記第２画素群（８）に画像を表示する第２選択期間（４６）では前記リセット駆動を停止することを特徴とする有機ＥＬ表示装置。
【請求項７】
前記第１画素群（７）はドットマトリクス表示部であり、前記第２画素群（８）はセグメント表示部であることを特徴とする請求項１ないし６のいずれか１つに記載の有機ＥＬ表示装置。
【請求項８】
前記第１画素群（７）の有機ＥＬ画素（１３）の発光色と前記第２画素群（８）の有機ＥＬ画素（１４）の発光色とが異なることを特徴とする請求項１ないし７のいずれか１つに記載の有機ＥＬ表示装置。
【請求項９】
１走査線（１０）に対し複数の均一な画素面積の有機ＥＬ画素（１３）を有する第１画素群（７）と、
１走査線（１１）に対し前記第１画素群（７）の有機ＥＬ画素（１３）とは画素面積が異なる１つ以上の有機ＥＬ画素（１４）を有する第２画素群（８）と、
前記第１画素群（７）と前記第２画素群（８）とをそれぞれ駆動するドライバ（５、１２）と、を備え、
前記ドライバ（５、１２）により、前記有機ＥＬ画素（１３、１４）の画素面積に応じて、前記有機ＥＬ画素（１３、１４）に流れる電流密度と前記有機ＥＬ画素（１３、１４）の点灯時間との積が一定になるように、当該点灯時間を制御する有機ＥＬ表示装置の駆動方法であって、
前記ドライバ（５、１２）により、前記第１画素群（７）に画像を表示する第１選択期間（４５）では、走査期間とその次の走査期間との間に、走査期間中に前記有機ＥＬ画素（１３、１４）に形成される寄生容量に充電された電荷を放電するリセット駆動を行い、前記第２画素群（８）に画像を表示する第２選択期間（４６）では前記リセット駆動を停止することを特徴とする有機ＥＬ表示装置の駆動方法。
【請求項１０】
１走査線（１０）に対し複数の均一な発光効率特性を持つ有機ＥＬ画素（１３）を有する第１画素群（７）と、
１走査線（１１）に対し前記第１画素群（７）の有機ＥＬ画素（１３）とは発光効率特性が異なる１つ以上の有機ＥＬ画素（１４）を有する第２画素群（８）と、
前記第１画素群（７）と前記第２画素群（８）とをそれぞれ駆動するドライバ（５、１２）と、を備え、
前記ドライバ（５、１２）により、前記有機ＥＬ画素（１３、１４）の発光効率特性に応じて、前記有機ＥＬ画素（１３、１４）の相対的な発光効率比と前記有機ＥＬ画素（１３、１４）の点灯時間との積が一定になるように、当該点灯時間を制御する有機ＥＬ表示装置の駆動方法であって、
前記ドライバ（５、１２）により、前記第１画素群（７）に画像を表示する第１選択期間（４５）では、走査期間とその次の走査期間との間に、走査期間中に前記有機ＥＬ画素（１３、１４）に形成される寄生容量に充電された電荷を放電するリセット駆動を行い、前記第２画素群（８）に画像を表示する第２選択期間（４６）では前記リセット駆動を停止することを特徴とする有機ＥＬ表示装置の駆動方法。
【請求項１１】
１走査線（１０）に対し複数の均一な画素面積および発光効率特性を持つ有機ＥＬ画素（１３）を有する第１画素群（７）と、
１走査線（１１）に対し前記第１画素群（７）の有機ＥＬ画素（１３）とは画素面積および発光効率特性が異なる１つ以上の有機ＥＬ画素（１４）を有する第２画素群（８）と、
前記第１画素群（７）と前記第２画素群（８）とをそれぞれ駆動するドライバ（５、１２）と、を備え、
前記ドライバ（５、１２）により、前記有機ＥＬ画素（１３、１４）の画素面積および発光効率特性に応じて、前記有機ＥＬ画素（１３、１４）に流れる電流密度と前記有機ＥＬ画素（１３、１４）の相対的な発光効率比と前記有機ＥＬ画素（１３、１４）の点灯時間との積が一定になるように、当該点灯時間を制御する有機ＥＬ表示装置の駆動方法であって、
前記ドライバ（５、１２）により、前記第１画素群（７）に画像を表示する第１選択期間（４５）では、走査期間とその次の走査期間との間に、走査期間中に前記有機ＥＬ画素（１３、１４）に形成される寄生容量に充電された電荷を放電するリセット駆動を行い、前記第２画素群（８）に画像を表示する第２選択期間（４６）では前記リセット駆動を停止することを特徴とする有機ＥＬ表示装置の駆動方法。
【請求項１２】
前記ドライバ（５、１２）が持つ走査線数をＭとし、前記第１画素群（７）の走査線数をｍとし、前記ドライバ（５、１２）が制御可能な階調数をｎとすると、
前記ドライバ（５、１２）により、（Ｍ−ｍ）×（ｎ−１）段階で前記点灯時間を制御することを特徴とする請求項９ないし１１のいずれか１つに記載の有機ＥＬ表示装置の駆動方法。
【請求項１３】
前記ドライバ（５、１２）により、前記第１画素群（７）および前記第２画素群（８）として車両用表示器に用いられるものを駆動することを特徴とする請求項９ないし１２のいずれか１つに記載の有機ＥＬ表示装置の駆動方法。
【発明の詳細な説明】
【技術分野】
【０００１】
本発明は、有機ＥＬ表示装置およびその駆動方法に関する。
【背景技術】
【０００２】
従来より、２つの表示領域にそれぞれ所望の画像を表示させる表示装置が、例えば特許文献１〜４で提案されている。
【０００３】
具体的に、特許文献１では、画像表示を行うためのドットマトリクス部とセグメント部とが混在する有機ＥＬ表示装置が提案されている。この有機ＥＬ表示装置には、ドットマトリクス部を制御するドットマトリクス用ドライバとセグメント部を制御するセグメント用ドライバとがそれぞれ備えられている。ドットマトリクス部とドットマトリクス用ドライバとはドットマトリクス専用の配線を介して電気的に接続されており、セグメント部とセグメント用ドライバとについてもセグメント専用の配線を介して電気的に接続されている。
【０００４】
また、有機ＥＬ表示装置は、ディスプレイの輝度を落とす減光（ディミング）を行う場合、ドットマトリクス部については電流値を可変させることにより輝度を制御し、セグメント部についてはパルス幅変調（ＰＷＭ）させることによって輝度を制御している。
【０００５】
特許文献２では、メインパネルと、サブパネルと、これらメインパネルおよびサブパネルを駆動するドライバＩＣと、を備えた表示装置が提案されている。サブパネルは、メインパネルを介してドライバＩＣに接続されている。このため、サブパネルとドライバＩＣとを接続する配線とメインパネルとドライバＩＣとを接続する配線とは共通になっている。
【０００６】
このような構成の表示装置では、メインパネルおよびサブパネルは同一のドライバＩＣにより同時駆動される。この場合、メインパネルの駆動電圧とサブパネルの駆動電圧とがそれぞれ異なる駆動電圧とされ、メインパネルに表示された画面の一部がサブパネルに表示されないようになっている。
【０００７】
特許文献３、４では、ドライブ線の陽極線および走査線の陰極線の複数の交差位置にマトリクス状に有機ＥＬ素子が配置されたディスプレイ装置が提案されている。このディスプレイ装置では、陰極線がアース電位に周期的に接続される走査期間に同期して選択的に陽極線が駆動源に接続されることにより、選択された有機ＥＬ素子が発光するようになっている。また、走査期間の間に、有機ＥＬ素子のすべてをリセットするリセット期間が設けられている。
【０００８】
そして、ディスプレイ装置の輝度を低下させる減光時では、走査対象外の陰極線に付与される逆バイアス電圧を低下させている。これにより、常に一定の逆バイアス電圧が付与される場合に対して、走査期間内における輝度レベルを一定レベルに近づけている。
【先行技術文献】
【特許文献】
【０００９】
【特許文献１】特開２００８−２０９８３３号公報
【特許文献２】特開２００５−７０１２１号公報
【特許文献３】特許第３８７４３９０号公報
【特許文献４】特許第３８５４１８２号公報
【発明の概要】
【発明が解決しようとする課題】
【００１０】
しかしながら、特許文献１では、ドットマトリクス用ドライバとセグメント用ドライバとの２つのドライバを用いているので、２つのドライバが必要であったり、パネル上にそれらの配線やドライバを実装するスペースが必要であったり、組み付けや部品にコストが掛かってしまうという問題がある。
【００１１】
また、特許文献２では、メインパネルとサブパネルとの２つのパネルに異なる電圧が印加されると、各パネルには同一の電圧が印加されるため、有機ＥＬ素子を用いて実現する場合、各パネル間で輝度ムラのない均一な表示が得られないという問題がある。また、メインパネルとサブパネルというように面積や素子特性が異なる画素の駆動を有機ＥＬ素子を用いて実現する場合、単に定電流を印加するだけでは各素子を均一に発光させることができず、画素の面積や素子特性によって、輝度ムラの多い表示となってしまうという問題がある。
【００１２】
そして、特許文献３、４では、減光時に逆バイアス電圧を低下させることで走査期間内における輝度レベルを一定レベルに近づけている。しかしながら、ディスプレイ装置にドット領域とセグメント領域との２つの表示領域を備えさせた場合に、単に逆バイアス電圧を低下させただけでは２つの表示領域の輝度レベルが一定レベルに近づくとはいえず、輝度ムラが生じる可能性がある。
【００１３】
本発明は上記点に鑑み、２つの画素群に画像をそれぞれ表示させるに際し、各画素群で輝度ムラのない表示を得ることができる有機ＥＬ表示装置およびその駆動方法を提供することを目的とする。
【課題を解決するための手段】
【００１４】
上記目的を達成するため、請求項１に記載の発明では、１走査線（１０）に対し複数の均一な画素面積の有機ＥＬ画素（１３）を有する第１画素群（７）と、１走査線（１１）に対し第１画素群（７）の有機ＥＬ画素（１３）とは画素面積が異なる１つ以上の有機ＥＬ画素（１４）を有する第２画素群（８）と、第１画素群（７）と第２画素群（８）とをそれぞれ駆動するドライバ（５、１２）と、を備えている。そして、ドライバ（５、１２）は、有機ＥＬ画素（１３、１４）の画素面積に応じて、有機ＥＬ画素（１３、１４）に流れる電流密度と有機ＥＬ画素（１３、１４）の点灯時間との積が一定になるように、当該点灯時間を制御することを特徴とする。
【００１５】
これによると、有機ＥＬ画素（１３、１４）の表示輝度は電流密度と点灯時間との積に比例するので、有機ＥＬ画素（１３、１４）に流れる電流密度と有機ＥＬ画素（１３、１４）の点灯時間との積が一定となるように当該点灯時間を制御することにより表示輝度を制御することができる。このため、画素面積が異なる有機ＥＬ画素（１３、１４）において表示輝度をそれぞれ均一にすることができる。したがって、各画素群（７、８）で輝度ムラのない表示を得ることができる。
【００１６】
一方、請求項２に記載の発明では、ドライバ（５、１２）は、有機ＥＬ画素（１３、１４）の画素面積および発光効率特性に応じて、有機ＥＬ画素（１３、１４）に流れる電流密度と有機ＥＬ画素（１３、１４）の相対的な発光効率比と有機ＥＬ画素（１３、１４）の点灯時間との積が一定になるように、当該点灯時間を制御することを特徴とする。
【００１７】
これによると、有機ＥＬ画素（１３、１４）の表示輝度は電流密度と相対的な発光効率比と点灯時間との積に比例するので、有機ＥＬ画素（１３、１４）に流れる電流密度と相対的な発光効率比と点灯時間との積が一定となるように当該点灯時間を制御することにより表示輝度を制御することができる。このため、画素面積および発光効率特性が異なる有機ＥＬ画素（１３、１４）において表示輝度をそれぞれ均一にすることができる。したがって、各画素群（７、８）で輝度ムラのない表示を得ることができる。
【００１８】
請求項１、２に記載の発明では、有機ＥＬ画素（１３、１４）の減光をＰＷＭ制御で行い、ドライバ（５、１２）は、減光を行っている時（以下、減光期間という）に、第１画素群（７）に画像を表示する第１選択期間（４５）では、走査期間とその次の走査期間との間に、走査期間中に有機ＥＬ画素（１３、１４）に形成される寄生容量に充電された電荷を放電するリセット駆動を行い、第２画素群（８）に画像を表示する第２選択期間（４６）ではリセット駆動を停止することを特徴とする。
【００１９】
これによると、リセット解除時に、リセット駆動による寄生容量からの電荷の回り込みの影響を小さくすることができるので、瞬間的な発光すなわち逆バイアス電圧の回り込みによるオーバーシュートの影響を小さくすることができる。したがって、輝度ムラのない良好な表示を得ることができる。
【００２０】
請求項３に記載の発明のように、第１画素群（７）の面積をＳとし、第２画素群（８）のある画素の面積をＳｘとし、ドライバ（５、１２）が持つ走査線数をＭとし、第１画素群（７）の走査線数をｍとすると、第２画素群（８）のある画素がＳｘ≦（Ｍ−ｍ）×Ｓの関係を満たすようにしても良い。
【００２１】
請求項４に記載の発明では、第１画素群（７）の面積をＳとし、第２画素群（８）のある画素の面積をＳｘとし、ドライバ（５、１２）が持つ走査線数をＭとし、第１画素群（７）の走査線数をｍとすると、第２画素群（８）がＳｘ＞（Ｍ−ｍ）×Ｓの関係を満たす場合、第２画素群（８）のある画素はＳｘ’≦（Ｍ−ｍ）×Ｓを満たすように第２画素群（８）の有機ＥＬ画素（１４）が分割されていることを特徴とする。
【００２２】
これにより、第２画素群（８）の１つの有機ＥＬ画素（１４）の画素面積が大きいものであったとしても、この有機ＥＬ画素（１４）が分割されているので、分割されたそれぞれの画素を駆動することで、見かけ上１つの大きな有機ＥＬ画素（１４）を駆動することができる。
【００２３】
請求項５に記載の発明では、第２画素群（８）の有機ＥＬ画素（１４）は、それぞれ同じ面積となるように複数に分割されていることを特徴とする。これにより、分割された各画素の電流密度が同じになるので、１つの有機ＥＬ画素（１４）内での輝度ムラを抑制することができる。
【００２４】
また、請求項６に記載の発明では、ドライバ（５、１２）は、有機ＥＬ画素（１３、１４）の発光効率特性に応じて、有機ＥＬ画素（１３、１４）の相対的な発光効率比と有機ＥＬ画素（１３、１４）の点灯時間との積が一定になるように、当該点灯時間を制御することを特徴とする。
【００２５】
これによると、有機ＥＬ画素（１３、１４）の表示輝度は電流密度と点灯時間との積に比例するので、有機ＥＬ画素（１３、１４）の相対的な発光効率比と有機ＥＬ画素（１３、１４）の点灯時間との積が一定となるように当該点灯時間を制御することにより表示輝度を制御することができる。このため、相対的な発光効率比が異なる有機ＥＬ画素（１３、１４）において表示輝度をそれぞれ均一にすることができる。したがって、各画素群（７、８）で輝度ムラのない表示を得ることができる。
【００２６】
請求項６に記載の発明では、走査期間とその次の走査期間との間に走査期間中に有機ＥＬ画素（１３、１４）に形成される寄生容量に充電された電荷を放電するリセット駆動を行うものであって、ドライバ（５、１２）は、第１画素群（７）に画像を表示する第１選択期間（４５）と第２画素群（８）に画像を表示する第２選択期間（４６）とのそれぞれの期間に応じて、有機ＥＬ画素（１３、１４）のうち選択されたものを発光させる走査期間とその次の走査期間との間に走査期間中にリセット駆動の状態を変化させることを特徴とする。
【００２７】
これによると、リセット解除時に、リセット駆動による寄生容量からの電荷の回り込みの影響を小さくすることができるので、瞬間的な発光すなわち逆バイアス電圧の回り込みによるオーバーシュートの影響を小さくすることができる。したがって、輝度ムラのない良好な表示を得ることができる。
【００２８】
請求項６に記載の発明では、有機ＥＬ画素（１３、１４）の減光をＰＷＭ制御で行うものであって、ドライバ（５、１２）は、減光期間に第２選択期間（４６）ではリセット駆動を停止することを特徴とする。
【００２９】
これによると、減光期間にリセット駆動が行われないので、リセット駆動による寄生容量からの回り込み電荷を無くすことができ、輝度ムラの悪化を抑制することができる。
【００３０】
請求項７に記載の発明では、第１画素群（７）はドットマトリクス表示部であり、第２画素群（８）はセグメント表示部であることを特徴とする。これにより、１つの画像表示領域でドットマトリクス表示部によるマルチインフォメーション表示とセグメント表示部による明瞭な表示とを両立させることができる。
【００３１】
請求項８に記載の発明では、第１画素群（７）の有機ＥＬ画素（１３）の発光色と第２画素群（８）の有機ＥＬ画素（１４）の発光色とが異なることを特徴とする。これにより、１つの画像表示装置内で発光色の異なる画像を輝度ムラなく表示することができる。
【００３２】
上記では、有機ＥＬ表示装置について述べたが、この有機ＥＬ表示装置において各有機ＥＬ画素（１３、１４）を駆動する方法についても同様のことが言える。
【００３３】
すなわち、請求項９に記載の発明では、ドライバ（５、１２）により、有機ＥＬ画素（１３、１４）の画素面積に応じて、有機ＥＬ画素（１３、１４）に流れる電流密度と有機ＥＬ画素（１３、１４）の点灯時間との積が一定になるように、当該点灯時間を制御することを特徴とする。
【００３４】
これによると、有機ＥＬ画素（１３、１４）の表示輝度は電流密度と点灯時間との積に比例するので、有機ＥＬ画素（１３、１４）に流れる電流密度と有機ＥＬ画素（１３、１４）の点灯時間との積が一定となるように当該点灯時間を制御することにより表示輝度を制御することができる。このため、画素面積が異なる有機ＥＬ画素（１３、１４）において表示輝度をそれぞれ均一にすることができる。したがって、各画素群（７、８）で輝度ムラのない表示を得ることができる。
【００３５】
一方、請求項１０に記載の発明では、ドライバ（５、１２）により、有機ＥＬ画素（１３、１４）の発光効率特性に応じて、有機ＥＬ画素（１３、１４）の相対的な発光効率比と有機ＥＬ画素（１３、１４）の点灯時間との積が一定になるように、当該点灯時間を制御することを特徴とする。
【００３６】
これによると、有機ＥＬ画素（１３、１４）の表示輝度は電流密度と点灯時間との積に比例するので、有機ＥＬ画素（１３、１４）の相対的な発光効率比と有機ＥＬ画素（１３、１４）の点灯時間との積が一定となるように当該点灯時間を制御することにより表示輝度を制御することができる。このため、相対的な発光効率比が異なる有機ＥＬ画素（１３、１４）において表示輝度をそれぞれ均一にすることができる。したがって、各画素群（７、８）で輝度ムラのない表示を得ることができる。
【００３７】
他方、請求項１１に記載の発明では、ドライバ（５、１２）により、有機ＥＬ画素（１３、１４）の画素面積および発光効率特性に応じて、有機ＥＬ画素（１３、１４）に流れる電流密度と有機ＥＬ画素（１３、１４）の相対的な発光効率比と有機ＥＬ画素（１３、１４）の点灯時間との積が一定になるように、当該点灯時間を制御することを特徴とする。
【００３８】
これによると、有機ＥＬ画素（１３、１４）の表示輝度は電流密度と相対的な発光効率比と点灯時間との積に比例するので、有機ＥＬ画素（１３、１４）に流れる電流密度と相対的な発光効率比と点灯時間との積が一定となるように当該点灯時間を制御することにより表示輝度を制御することができる。このため、画素面積および発光効率特性が異なる有機ＥＬ画素（１３、１４）において表示輝度をそれぞれ均一にすることができる。したがって、各画素群（７、８）で輝度ムラのない表示を得ることができる。
【００３９】
請求項９、１０、１１に記載の発明では、ドライバ（５、１２）により、第１画素群（７）に画像を表示する第１選択期間（４５）では、走査期間とその次の走査期間との間に、走査期間中に有機ＥＬ画素（１３、１４）に形成される寄生容量に充電された電荷を放電するリセット駆動を行い、第２画素群（８）に画像を表示する第２選択期間（４６）ではリセット駆動を停止することを特徴とする。
【００４０】
これによると、リセット解除時に、リセット駆動による寄生容量からの電荷の回り込みの影響を小さくすることができるので、瞬間的な発光すなわち逆バイアス電圧の回り込みによるオーバーシュートの影響を小さくすることができる。したがって、輝度ムラのない良好な表示を得ることができる。
【００４１】
請求項１２に記載の発明では、ドライバ（５、１２）が持つ走査線数をＭとし、第１画素群（７）の走査線数をｍとし、ドライバ（５、１２）が制御可能な階調数をｎとすると、ドライバ（５、１２）により、（Ｍ−ｍ）×（ｎ−１）段階で点灯時間を制御することを特徴とする。これにより、細かい点灯時間の制御を行うことができ、各画素群（７、８）で輝度ムラのない表示を得ることができる。
【００４２】
請求項１３に記載の発明では、ドライバ（５、１２）により、第１画素群（７）および第２画素群（８）として車両用表示器に用いられるものを駆動することを特徴とする。これによると、車両（１５）の搭乗者に対して輝度ムラのない見やすい表示を提供することができる。
【００４３】
なお、この欄および特許請求の範囲で記載した各手段の括弧内の符号は、後述する実施形態に記載の具体的手段との対応関係を示すものである。
【図面の簡単な説明】
【００４４】
【図１】本発明の第１実施形態に係る有機ＥＬ表示装置の構成図である。
【図２】有機ＥＬ表示装置を車両に搭載した模式図である。
【図３】図１のＡ−Ｂ断面図である。
【図４】ドットロウ電圧生成部の回路図である。
【図５】セグメント用ＣＯＭ信号生成回路の回路図である。
【図６】図１に示される有機ＥＬ表示装置の一部回路図である。
【図７】ドライバＩＣの駆動方法を説明するための図である。
【図８】瞬間輝度と電流密度との関係を示した図である。
【図９】画素の形状、面積、電流密度、および瞬間輝度の関係を示した図である。
【図１０】面積が異なる画素に対して表示輝度を点灯時間で制御する模式図である。
【図１１】（ａ）は有機ＥＬパネルに画像表示する一例を示した図であり、（ｂ）は（ａ）の表示内容に対応したＲＡＭの中身を示した図である。
【図１２】ドライバＩＣの駆動波形を示した図である。
【図１３】図１２に示される駆動波形に従った回路動作を示した回路図である。
【図１４】図１３に続く回路動作を示した回路図である。
【図１５】第２実施形態において、図１１（ａ）と同じ画像を表示させるためのＲＡＭの中身を示した図である。
【図１６】第２実施形態において、ドライバＩＣの駆動波形を示した図である。
【図１７】第２選択期間において、図１６に示される駆動波形に従った回路動作を示した回路図である。
【図１８】第３実施形態において、発光効率特性が異なる素子の瞬間輝度と電流密度との関係を示した図である。
【図１９】第３実施形態において、画素の形状、面積、電流密度、および瞬間輝度の関係を示した図である。
【図２０】（ａ）は第３実施形態において有機ＥＬパネルに画像表示する一例を示した図であり、（ｂ）は（ａ）の表示内容に対応したＲＡＭの中身を示した図である。
【図２１】第３実施形態において、ドライバＩＣの駆動波形を示した図である。
【図２２】第２選択期間において、図２１に示される駆動波形に従った回路動作を示した回路図である。
【図２３】第４実施形態において、画素面積および発光効率特性が異なる素子の瞬間輝度と電流密度との関係を示した図である。
【図２４】第４実施形態において、画素の形状、面積、電流密度、および瞬間輝度の関係を示した図である。
【図２５】（ａ）は第４実施形態において有機ＥＬパネルに画像表示する一例を示した図であり、（ｂ）は（ａ）の表示内容に対応したＲＡＭの中身を示した図である。
【図２６】第４実施形態において、ドライバＩＣの駆動波形を示した図である。
【図２７】第２選択期間において、図２６に示される駆動波形に従った回路動作を示した回路図である。
【図２８】第５実施形態において、ドライバＩＣの駆動波形を示した図である。
【図２９】ｎ行選択前のリセット期間における各有機ＥＬ画素の寄生容量を説明するための図である。
【図３０】Ｒ１行選択時における各有機ＥＬ画素の寄生容量を説明するための図である。
【図３１】Ｒ４行選択時における各有機ＥＬ画素の寄生容量を説明するための図である。
【図３２】第５実施形態において、画素にかかる順電圧と駆動電圧との関係を示した図である。
【図３３】第５実施形態において、逆バイアス電圧を変化させたときのドット画素とセグメント画素の光学波形を示した図である。
【図３４】第６実施形態において、ドライバＩＣの駆動波形を示した図である。
【図３５】第６実施形態において、リセット駆動を停止する場合のセグメント画素の光学波形を示した図である。
【図３６】第７実施形態に係るＲＡＭの中身を示した図である。
【図３７】第７実施形態において、ドライバＩＣの駆動波形を示した図である。
【図３８】図３７に示される駆動波形に従った回路動作の一部を示した回路図である。
【図３９】第８実施形態において、画素の形状、面積、電流密度、および瞬間輝度の関係を示した図である。
【図４０】第８実施形態において、カラム配線に印加するカラムパルス幅を階調毎に示した図である。
【図４１】（ａ）は第８実施形態において有機ＥＬパネルに画像表示する一例を示した図であり、（ｂ）は（ａ）の表示内容に対応したＲＡＭの中身を示した図である。
【図４２】第８実施形態において、ドライバＩＣの駆動波形を示した図である。
【図４３】（ａ）は第９実施形態においてＲＡＭの中身を示した図であり、（ｂ）は（ａ）に従った駆動波形を示した図である。
【図４４】第１０実施形態において、セグメント表示部の有機ＥＬ画素を分割した模式図である。
【図４５】（ａ）は各カラム配線とセグメント番号とドット表示部の有機ＥＬ画素の画素面積との面積比との関係を示した図であり、（ｂ）は（ａ）に対するＲＡＭの表示データを示した図である。
【発明を実施するための形態】
【００４５】
以下、本発明の実施形態について図に基づいて説明する。なお、以下の各実施形態相互において、互いに同一もしくは均等である部分には、図中、同一符号を付してある。
【００４６】
（第１実施形態）
以下、本発明の第１実施形態について図を参照して説明する。本実施形態に係る有機ＥＬ表示装置は、例えば車両に搭載され、所定の情報を画像表示する車両用表示器として用いられる。
【００４７】
図１は、本実施形態に係る有機ＥＬ表示装置の構成図である。この図に示されるように、有機ＥＬ表示装置１は、有機ＥＬパネル２と、パネル接続部３と、駆動電圧生成部４と、セグメント用ＣＯＭ信号生成回路５と、駆動制御部６と、を備えて構成されている。
【００４８】
有機ＥＬパネル２は画像を表示するための表示器であり、ドット表示部７と、セグメント表示部８と、カラム配線９と、ドット用ロウ配線１０と、セグメント用ＣＯＭ配線１１と、ドライバＩＣ１２と、を備えて構成されている。図１では、一例としてドライバＩＣ１２の出力はカラム（データ）側は３本、ロウ（走査）側は６本として示されている。
【００４９】
ドット表示部７は、有機ＥＬ画素１３がドットマトリクス状に配置された均一な画素群である。ドット表示部７の有機ＥＬ画素１３は、１走査線であるドット用ロウ配線１０に対し複数の均一な画素面積の画素である。図１では、一例として３×３のドットマトリクスが示されている。
【００５０】
一方、セグメント表示部８は、１つ以上の有機ＥＬ画素１４が所定の画像を表示するように配置された不均一な画素群である。本実施形態では、例えば「△」、「○（楕円）」、「☆」の３つの有機ＥＬ画素１４がセグメント表示部８に設けられている。セグメント表示部８の有機ＥＬ画素１４は、１走査線であるセグメント用ＣＯＭ配線１１に対し、ドット表示部７の有機ＥＬ画素１３とは画素面積が異なる画素である。
【００５１】
このように、１つの有機ＥＬパネル２内でドット表示部７によるマルチインフォメーション表示とセグメント表示部８による所定の明瞭な画像表示とが可能になっている。
【００５２】
図２は、有機ＥＬ表示装置１が車両に搭載された模式図である。図２（ａ）に示されるように、有機ＥＬ表示装置１は車両情報等のマルチインフォメーション表示装置として車両１５に搭載されている。この場合、図２（ｂ）に示されるように、有機ＥＬパネル２は、例えばメータ１６の中央部分に配置される。なお、車両情報としては、例えば車両の総走行距離等である。
【００５３】
カラム配線９は、ドライバＩＣ１２、ドット表示部７、およびセグメント表示部８を直列接続するデータ電極駆動配線（陽極）である。すなわち、ドライバＩＣ１２、ドット表示部７、およびセグメント表示部８それぞれに対するカラム配線９が共通化されている。このカラム配線９は、どの有機ＥＬ画素１３、１４を発光させるのかを選択するための配線であり、ドライバＩＣ１２によって一定の駆動電流が印加される。
【００５４】
ドット用ロウ配線１０はドット表示部７の各有機ＥＬ画素１３に対して電圧を印加するための配線（陰極）である。カラム配線９とドット用ロウ配線１０とが交差する位置に有機ＥＬ画素１３が設けられている。本実施形態では、ドット表示部７は３×３のドットマトリクスなので、走査線であるドット用ロウ配線１０は３本である。
【００５５】
セグメント用ＣＯＭ配線１１は、セグメント表示部８の有機ＥＬ画素１４に対して電圧を印加するための配線（陰極）である。このセグメント用ＣＯＭ配線１１は、セグメント表示部８に設けられた３つの有機ＥＬ画素１４に対して共通の配線となっている。
【００５６】
これらドット用ロウ配線１０およびセグメント用ＣＯＭ配線１１はいわゆる走査線であり、ドライバＩＣ１２およびセグメント用ＣＯＭ信号生成回路５によって所定の電圧が印加される。
【００５７】
ドライバＩＣ１２は、カラム配線９およびドット用ロウ配線１０を介してドット表示部７とセグメント表示部８とをそれぞれ駆動する集積回路である。本実施形態では、ドライバＩＣ１２はカラム配線９に印加する駆動電流を直接制御し、ドット用ロウ配線１０に印加する電圧を直接制御する。
【００５８】
また、ドライバＩＣ１２は、セグメント用ＣＯＭ信号生成回路５を介してセグメント用ＣＯＭ配線１１に印加する電圧印加期間を制御する。このため、ドット用ロウ配線１０の走査後にセグメント用ＣＯＭ配線１１が走査されるように、セグメント用ＣＯＭ信号生成回路５に同期信号を出力する。
【００５９】
さらに、ドライバＩＣ１２は、画像表示される内容（表示データ）を記憶するＲＡＭ１７を備えている。表示データは、駆動制御部６からＲＡＭ１７に送られてくる。また、ＲＡＭ１７は、ドット表示部７とセグメント表示部８とで共通使用される。このため、ＲＡＭ１７の全体の記憶領域の一部がドット表示部７の画像表示領域として利用され、残りの記憶領域がセグメント表示部８の画像表示領域として利用される。したがって、ドット表示部７やセグメント表示部８毎にＲＡＭ１７は不要である。
【００６０】
次に、上記構成の有機ＥＬパネル２の断面構造について説明する。図３は、図１のＡ−Ｂ断面図である。この図に示されるように、ガラス等の基板１８上には、ホール注入電極として機能するＩＴＯ等の透明なカラム配線９が形成されている。また、カラム配線９の上に発光に関わる有機層１９が形成されている。有機層１９は、ホール注入輸送層、発光層、電子注入輸送層等が順に形成された有機膜層である。そして、有機層１９の上に電子注入電極として機能する金属薄膜等のドット用ロウ配線１０およびセグメント用ＣＯＭ配線１１が形成されている。これらドット用ロウ配線１０およびセグメント用ＣＯＭ配線１１は基板１８の外縁部に引き回されて形成されている。
【００６１】
このように、有機層１９がカラム配線９とドット用ロウ配線１０とで挟まれると共に、有機層１９がカラム配線９とセグメント用ＣＯＭ配線１１とで挟まれた積層構造になっている。この積層構造を覆うようにカバー２０が接着剤２１を介して基板１８に実装されている。これにより有機層１９が封止されている。
【００６２】
また、基板１８上には、カラム配線９、ドット用ロウ配線１０、およびセグメント用ＣＯＭ配線１１に電気的に接続されたドライバＩＣ１２が実装されている。さらに、ドライバＩＣ１２等が樹脂等の封止体２２で覆われて保護されている。有機ＥＬパネル２は、上記のような構造になっている。
【００６３】
そして、図１に示されるパネル接続部３は、有機ＥＬパネル２と駆動電圧生成部４およびセグメント用ＣＯＭ信号生成回路５とを接続するための配線部である。パネル接続部３としては、例えばＦＰＣ（Flexible Printed Circuit；ＦＰＣ）が採用される。
【００６４】
駆動電圧生成部４は、有機ＥＬパネル２を駆動するための電圧を生成する回路部であり、例えば１２Ｖのバッテリ２３の電圧から駆動電圧を生成する。このような駆動電圧生成部４は、カラム電圧生成部２４と、ドットロウ電圧生成部２５と、セグメント用ＣＯＭ電圧生成部２６と、を備えている。
【００６５】
カラム電圧生成部２４は、バッテリ２３の電圧を昇圧するためのトランスやコンデンサ等により構成された昇圧回路である。このカラム電圧生成部２４はバッテリ２３の電圧から電圧ＶｄｄＣを生成し、パネル接続部３を介してドライバＩＣ１２に供給する。これにより、ドライバＩＣ１２は、この電圧ＶｄｄＣを各カラム配線９に供給する。
【００６６】
ドットロウ電圧生成部２５は、カラム電圧生成部２４で昇圧された電圧を所定の電圧に下げる降圧回路である。このドットロウ電圧生成部２５は、駆動制御部６から入力する電圧変更信号に従って電圧ＶｄｄＣから電圧ＶｄｄＲ（ｄｏｔ）を生成し、パネル接続部３を介してドライバＩＣ１２に供給する。これにより、ドライバＩＣ１２は、この電圧ＶｄｄＲ（ｄｏｔ）を各ドット用ロウ配線１０に供給する。
【００６７】
本実施形態では、電圧変更信号によって電圧ＶｄｄＲ（ｄｏｔ）の電圧レベルが変更される。図４は、ドットロウ電圧生成部２５の回路の一例を示した図である。この図に示されるように、電圧ＶｄｄＣとＧＮＤとの間に抵抗２７と抵抗２８とが直列接続され、抵抗２７と抵抗２８との間に抵抗２９の一方が接続されている。この抵抗２９の他方はｎｐｎ型のトランジスタ３０のコレクタに接続されている。また、トランジスタ３０のエミッタはＧＮＤに接続され、トランジスタ３０のベースに電圧変更信号が入力されるようになっている。さらに、トランジスタ３０のベース−エミッタ間に抵抗３２が接続されている。
【００６８】
そして、抵抗２７がｎｐｎ型のトランジスタ３１のベース−コレクタ間に接続され、当該トランジスタ３１のコレクタに電圧ＶｄｄＣが印加され、トランジスタ３１のエミッタ電圧が電圧ＶｄｄＲ（ｄｏｔ）とされている。
【００６９】
このような回路構成によると、トランジスタ３０に電圧変更信号が入力されたことにより、トランジスタ３１のベース電圧が調整される。トランジスタ３１のコレクタ電圧である電圧ＶｄｄＣは固定値であるので、トランジスタ３１のベース電圧が大きくなると電圧ＶｄｄＲ（ｄｏｔ）は大きくなり、トランジスタ３１のベース電圧が小さくなると電圧ＶｄｄＲ（ｄｏｔ）は小さくなる。このようにして、電圧ＶｄｄＣが電圧ＶｄｄＲ（ｄｏｔ）に降圧されると共に電圧変更信号によって電圧ＶｄｄＲ（ｄｏｔ）の電圧レベルが調節されるようになっている。
【００７０】
セグメント用ＣＯＭ電圧生成部２６は、カラム電圧生成部２４で昇圧された電圧を所定の電圧に下げる降圧回路である。このセグメント用ＣＯＭ電圧生成部２６は、カラム電圧生成部２４で生成された電圧ＶｄｄＣから電圧ＶｄｄＲ（ｓｅｇ）を生成し、セグメント用ＣＯＭ信号生成回路５に供給する。
【００７１】
これらカラム電圧生成部２４、ドットロウ電圧生成部２５、およびセグメント用ＣＯＭ電圧生成部２６は、ドライバＩＣ１２やセグメント用ＣＯＭ信号生成回路５に対して、電源を供給する手段であると言える。
【００７２】
セグメント用ＣＯＭ信号生成回路５は、セグメント用ＣＯＭ電圧生成部２６で生成された電圧ＶｄｄＲ（ｓｅｇ）をドライバＩＣ１２から入力した同期信号に従ってセグメント用ＣＯＭ配線１１に供給する回路である。
【００７３】
図５は、セグメント用ＣＯＭ信号生成回路５の一例を示した図である。この図に示されるように、セグメント用ＣＯＭ信号生成回路５は、ＸＯＲ回路３３と、Ｄフリップフロップ３４と、ＮＯＴ回路３５と、を備えている。
【００７４】
ＸＯＲ回路３３は、いわゆる排他的論理和を実行する論理回路であり、ドライバＩＣ１２から同期信号１（ロウ出力３）と同期信号２（ロウ出力１）とを入力して排他的論理和を演算して出力する。
【００７５】
Ｄフリップフロップ３４は、クロックパルスが入力される前にＤ端子に到達していた状態をクロックパルスの立ち下がりと同時にＱ出力する回路である。Ｄ端子には同期信号１が入力され、クロック端子にはＸＯＲ回路３３の出力がクロックパルスとして入力される。また、Ｄフリップフロップ３４からはＱの反転信号が出力される。
【００７６】
ＮＯＴ回路３５は、Ｄフリップフロップ３４の出力を反転して出力する論理回路である。このＮＯＴ回路３５の出力がセグメント用ＣＯＭ配線１１に供給される。
【００７７】
このようなセグメント用ＣＯＭ信号生成回路５の構成によると、同期信号１と同期信号２との組み合わせに応じて、電圧ＶｄｄＲ（ｓｅｇ）かまたはＧＮＤ電圧がセグメント用ＣＯＭ配線１１に印加される。従って、セグメント用ＣＯＭ信号生成回路５はスイッチ回路であると言える。
【００７８】
駆動制御部６は、車両１５に搭載された各機器から車両情報を入力し、それらを画像として表示するための処理を行うＣＰＵ等を備えたマイクロコンピュータである。このような駆動制御部６は、通常は外部から入力した車両情報に基づいて表示データを生成し、ドライバＩＣ１２に出力する。
【００７９】
また、駆動制御部６は、有機ＥＬパネル２を減光制御する減光制御部を有している。減光制御部は、セグメント用ＣＯＭ信号生成回路５からの選択期間信号および車両情報をもとにドット用ロウ配線１０に印加する電圧を制御するための電圧変更信号を生成してドットロウ電圧生成部２５に出力する。また、減光制御部は、車両情報をもとに有機ＥＬパネル２の表示輝度を低下させる減光時にドライバＩＣ１２に減光をＰＷＭ制御させるため、ＰＷＭ信号を生成してドライバＩＣ１２に出力する。これにより、ドライバＩＣ１２は、有機ＥＬ画素１３、１４の減光をＰＷＭ制御で行う。すなわち、ドライバＩＣ１２は、カラム配線９に印加する電圧パルスの幅を小さくすることにより、有機ＥＬ画素１３、１４を減光させる。
【００８０】
上記構成の有機ＥＬ表示装置１のうち、有機ＥＬパネル２の全体回路図を図６に示す。この図に示されるように、ドライバＩＣ１２から引き出された複数の走査線（ドット用ロウ配線１０、セグメント用ＣＯＭ配線１１）および複数のデータ線（カラム配線９）の交点それぞれにマトリクス状の複数の有機ＥＬ画素１３、１４がそれぞれ配置されている。上述のように、配置例として、ドット表示部７では３×３のマトリクスとして有機ＥＬ画素１３（（０，０）〜（２，２））が配置され、セグメント表示部８では３つの有機ＥＬ画素１４（（３，０）〜（３，２））が並べられている。
【００８１】
そして、ドライバＩＣ１２は、各カラム配線９に対して一定の駆動電流を印加するためのデータ電極選択スイッチ３６〜３８を備えている。駆動電流は、電圧ＶｄｄＣに基づいて生成される。データ電極選択スイッチ３６〜３８は、各カラム配線９側が可動接点とされ、ＧＮＤ（０Ｖ）に接続される固定接点と定電流源３９〜４１に接続される固定接点とのいずれか一方に可動接点を接触させられるものとなっている。
【００８２】
上述のように、ドット表示部７の有機ＥＬ画素１３やセグメント表示部８の有機ＥＬ画素１４は共通のカラム配線９に接続されているので、各有機ＥＬ画素１３、１４に同じ大きさの駆動電流またはＧＮＤ電圧が供給される。これにより、有機ＥＬ画素１３、１４毎に駆動電流を流すための回路が不要となる。
【００８３】
また、ドライバＩＣ１２は、各ドット用ロウ配線１０に対して電圧ＶｄｄＲ（ｄｏｔ）かまたはＧＮＤ電圧を印加するための走査電極選択スイッチ４２〜４４を備えている。これら走査電極選択スイッチ４２〜４４は、各ドット用ロウ配線１０側が可動接点とされ、ＧＮＤ（０Ｖ）に接続される固定接点と電圧ＶｄｄＲ（ｄｏｔ）が印加される固定接点とのいずれか一方に可動接点を接触させられるものとなっている。
【００８４】
そして、ドライバＩＣ１２は、データ電極選択スイッチ３６〜３８および走査電極選択スイッチ４２〜４４のオンオフを駆動する。具体的には、ドライバＩＣ１２は、駆動制御部６から入力される表示データを処理し、発光画素として選択した画素を発光させ、その他の画素を非発光とするべく、データ電極選択スイッチ３６〜３８および走査電極選択スイッチ４２〜４４のオンオフを制御する。
【００８５】
さらに、セグメント用ＣＯＭ配線１１はセグメント用ＣＯＭ信号生成回路５に接続されている。上述のように、セグメント用ＣＯＭ信号生成回路５はドライバＩＣ１２から入力した同期信号に従ってセグメント用ＣＯＭ配線１１に対して電圧ＶｄｄＲ（ｓｅｇ）かまたはＧＮＤ電圧を印加するようにセグメント用ＣＯＭ配線１１に接続されている。以上が、本実施形態に係る有機ＥＬ表示装置１の全体構成である。
【００８６】
次に、ドライバＩＣ１２による各有機ＥＬ画素１３、１４の駆動方法について、図７〜図１４を参照して説明する。本実施形態では、ドライバＩＣ１２がドット表示部７とセグメント表示部８との２つの表示領域を駆動制御する。
【００８７】
具体的には、図７に示されるように、ドライバＩＣ１２は、ドット表示部７の走査（ドット駆動）を行った後にセグメント表示部８の走査（セグ駆動）を行う時分割駆動を行う。これは、ドット表示部７のロウライン数（走査線数）がドライバＩＣ１２の駆動可能チャンネル数よりも少ない場合、ドライバＩＣ１２の駆動可能チャンネル数からドット表示部７のロウライン数（走査線数）を引いたときに余った出力の走査時間を利用することで可能である。
【００８８】
本実施形態では、ドット駆動を行う期間すなわちドット表示部７に画像を表示する期間を第１選択期間４５といい、セグ駆動を行う期間すなわちセグメント表示部８に画像を表示する期間を第２選択期間４６という。
【００８９】
したがって、第１選択期間４５でドライバＩＣ１２がドット表示部７を駆動し、第２選択期間４６でドライバＩＣ１２およびセグメント用ＣＯＭ信号生成回路５がセグメント表示部８を駆動することとなる。
【００９０】
また、有機ＥＬ画素１３、１４の表示輝度（瞬間輝度）は、図８に示されるように、電流密度（＝駆動電流／画素面積）に比例する。例えば、データ電極から１画素に印加する駆動電流を０．６ｍＡとすると、各有機ＥＬ画素１３、１４は図９に示されるように分類される。すなわち、ドット表示部７の有機ＥＬ画素１３であるドット（□）の面積を０．００１ｃｍ２とすると電流密度は６００ｍＡ／ｃｍ２となる。これにより、図８から瞬間輝度は２７０００ｃｄ／ｍ２となる。
【００９１】
一方、セグメント表示部８の有機ＥＬ画素１４は、図９に示されるように、セグＡ（☆）およびセグＢ（○）の面積を共に０．００２ｃｍ２とすると電流密度はそれぞれ３００ｍＡ／ｃｍ２となる。また、図８から瞬間輝度は１３５００ｃｄ／ｍ２となる。また、セグＣ（△）の面積を０．００３ｃｍ２とすると電流密度は２００ｍＡ／ｃｍ２となり、図８から瞬間輝度は９０００ｃｄ／ｍ２となる。
【００９２】
したがって、図９に示される各有機ＥＬ画素１３、１４の瞬間輝度を同一にするためには、セグＢが点灯する単位時間をドットの２倍とし、セグＣが点灯する単位時間をドットの３倍とすれば良い。このように、各有機ＥＬ画素１３、１４の画素面積が異なり、各有機ＥＬ画素１３、１４にデータ電極から印加する駆動電流の大きさは同じであるので、画素面積が異なるＡとＢの各画素を同じ表示輝度で表示するためには図１０に示されるように点灯時間を長くするように制御すれば、異なる画素面積の画素の表示輝度をそれぞれ同一にすることができる。
【００９３】
このため、ドライバＩＣ１２は、各有機ＥＬ画素１３、１４の画素面積に応じて、有機ＥＬ画素１３、１４に流れる電流密度（＝駆動電流／画素面積）と有機ＥＬ画素１３、１４の点灯時間との積が一定になるように、当該点灯時間を制御する。
【００９４】
具体的には、ドライバＩＣ１２は以下のように点灯時間を制御する。まず、図１１（ａ）は、有機ＥＬパネル２に画像表示する一例を示した図である。ドット表示部７のマトリクスのうち（０，０）、（０，１）、（１，２）、（２，０）の有機ＥＬ画素１３を発光させ、セグメント表示部８のうち「○」と「△」の有機ＥＬ画素１４を発光させるとする。なお、発光させる有機ＥＬ画素１３、１４に斜線ハッチングを付けてある。
【００９５】
また、ドット表示部７の有機ＥＬ画素１３の面積をＳとすると、セグメント表示部８の「☆」の有機ＥＬ画素１４の面積は２Ｓ、「○」の有機ＥＬ画素１４の面積は２Ｓ、「△」の有機ＥＬ画素１４の面積は３Ｓであるとする。上述のように、電流密度と点灯時間との積が一定となるようにするためには、面積が２Ｓの有機ＥＬ画素１４の点灯時間を面積がＳの有機ＥＬ画素１３の点灯時間の２倍とすれば良い。同様に、面積が３Ｓの有機ＥＬ画素１４の点灯時間を面積がＳの有機ＥＬ画素１３の点灯時間の３倍とすれば良い。
【００９６】
図１１（ｂ）は図１１（ａ）のように各有機ＥＬ画素１３、１４を発光させる場合のＲＡＭ１７の中身つまり表示データを示した図である。有機ＥＬ画素１３、１４を発光させる領域に斜線ハッチングを付けてある。Ｃ０〜Ｃ２列はカラム配線９に対応し、Ｒ０〜Ｒ２行はドット表示部７に割り当てられた領域であり、Ｒ３〜Ｒ５行はセグメント表示部８に割り当てられた領域である。
【００９７】
図１２は、ドライバＩＣ１２の駆動波形を示した図である。また、図１３および図１４は、図１２に示される駆動波形に従った回路動作を示した回路図である。
【００９８】
まず、図１３（ａ）〜図１３（ｃ）に示される段階がドット表示部７を駆動する第１選択期間４５であり、図１４（ａ）〜図１４（ｃ）に示される段階がセグメント表示部８を駆動する第２選択期間４６である。
【００９９】
そして、図１３（ａ）に示されるＲ０行選択時では、ドライバＩＣ１２は（０，０）および（０，１）の有機ＥＬ画素１３を発光させるべく、データ選択スイッチ３６、３７により定電流源３９、４０を選択し、データ選択スイッチ３８によりＧＮＤを選択する。これにより、図１２に示されるように、走査側（ロウ）においてＲ０行が選択された場合、データ側（カラム）の信号は、Ｃ０列およびＣ１列に駆動電流が流れ、Ｃ２列には駆動電流が流れない信号となる。
【０１００】
また、図１３（ａ）に示されるように、Ｒ０行のみが選択されるように、ドライバＩＣ１２は走査電極選択スイッチ４２によりＧＮＤを選択し、走査電極選択スイッチ４３、４４により電圧ＶｄｄＲ（ｄｏｔ）を選択する。また、ドライバＩＣ１２は同期信号を出力することでセグメント用ＣＯＭ信号生成回路５により電圧ＶｄｄＲ（ｓｅｇ）を選択する。
【０１０１】
このように、ドライバＩＣ１２がデータ電極選択スイッチ３６〜３８、走査電極選択スイッチ４２〜４４、およびセグメント用ＣＯＭ信号生成回路５により各ドット用ロウ配線１０およびセグメント用ＣＯＭ配線１１に印加される電圧を選択すると、（０，０）および（０，１）に位置する有機ＥＬ画素１３に駆動電流が流れ、これらが発光する。一方、非発光の有機ＥＬ画素１３、１４については、印加される電位差に基づいて寄生容量に充電される。
【０１０２】
ここで、ドライバＩＣ１２は、各有機ＥＬ画素１３、１４のうち選択されたものを発光させた走査期間（例えばＲ０行選択時）とその次の走査期間（例えばＲ１行選択時）との間に、走査期間中に非発光の各有機ＥＬ画素１３、１４に形成される寄生容量に充電された電荷を放電するリセット駆動を行う。リセット駆動を行う期間がリセット期間である。以下では、各走査期間の間にリセット駆動を行う。
【０１０３】
続いて、図１３（ｂ）に示されるＲ１行選択時では、ドライバＩＣ１２は（１，２）の有機ＥＬ画素１３を発光させるべく、データ選択スイッチ３６、３７によりＧＮＤを選択し、データ選択スイッチ３８により定電流源４１を選択する。これにより、図１２に示されるように、Ｒ１行が選択された場合、データ側（カラム）の信号は、Ｃ０列およびＣ１列に駆動電流が流れず、Ｃ２列に駆動電流が流れる信号となる。
【０１０４】
また、図１３（ｂ）に示されるように、Ｒ１行のみが選択されるように、ドライバＩＣ１２は走査電極選択スイッチ４３によりＧＮＤを選択し、走査電極選択スイッチ４２、４４により電圧ＶｄｄＲ（ｄｏｔ）を選択する。また、ドライバＩＣ１２は同期信号を出力することでセグメント用ＣＯＭ信号生成回路５により電圧ＶｄｄＲ（ｓｅｇ）を選択する。
【０１０５】
これにより、（１，２）に位置する有機ＥＬ画素１３に電流が流れ、発光する。一方、非発光の有機ＥＬ画素１３、１４については、印加される電位差に基づいて寄生容量に充電される。そして、ドライバＩＣ１２はリセット駆動を行う。
【０１０６】
この後、図１３（ｃ）に示されるＲ２行選択時では、ドライバＩＣ１２は（２，０）の有機ＥＬ画素１３を発光させるべく、データ選択スイッチ３７、３８によりＧＮＤを選択し、データ選択スイッチ３６により定電流源３９を選択する。これにより、図１２に示されるように、Ｒ２行が選択された場合、データ側（カラム）の信号は、Ｃ０列およびＣ１列に駆動電流が流れず、Ｃ２列に駆動電流が流れる信号となる。
【０１０７】
また、図１３（ｃ）に示されるように、Ｒ２行のみが選択されるように、ドライバＩＣ１２は走査電極選択スイッチ４４によりＧＮＤを選択し、走査電極選択スイッチ４２、４３により電圧ＶｄｄＲ（ｄｏｔ）を選択する。また、ドライバＩＣ１２は同期信号を出力することでセグメント用ＣＯＭ信号生成回路５により電圧ＶｄｄＲ（ｓｅｇ）を選択する。
【０１０８】
これにより、（２，０）に位置する有機ＥＬ画素１３に電流が流れ、発光する。一方、非発光の有機ＥＬ画素１３、１４については、印加される電位差に基づいて寄生容量に充電される。そして、ドライバＩＣ１２はリセット駆動を行う。このようにして、ドライバＩＣ１２は第１選択期間４５でドット表示部７の有機ＥＬ画素１３を発光させる。
【０１０９】
次に、図１４（ａ）〜図１４（ｃ）に示されるＲ３〜Ｒ５行選択時では、ドライバＩＣ１２は「○」と「△」の有機ＥＬ画素１４を発光させる。ここで、Ｒ３〜Ｒ５行は有機ＥＬパネル２に未接続の部分であり、かわりに上述のセグメント用ＣＯＭ配線１１が接続されている。すなわち、Ｒ３〜Ｒ５行選択時つまり第２選択期間４６では、ドライバＩＣ１２は走査電極選択スイッチ４２〜４４により電圧ＶｄｄＲ（ｄｏｔ）を選択し、同期信号を出力することでセグメント用ＣＯＭ信号生成回路５によりＧＮＤを選択する。したがって、図１２に示されるように、Ｒ３〜Ｒ５行選択時の駆動波形はＣＯＭの波形となり、Ｒ３〜Ｒ５行が選択されている間はセグメント用ＣＯＭ配線１１はＧＮＤ電圧とされる。
【０１１０】
そして、図１４（ａ）および図１４（ｂ）に示されるＲ３、Ｒ４行選択時では、ドライバＩＣ１２は「○」と「△」の有機ＥＬ画素１４を発光させるべく、データ選択スイッチ３６によりＧＮＤを選択し、データ選択スイッチ３７、３８により定電流源４０、４１を選択する。これにより、図１２に示されるように、Ｒ３行およびＲ４行が選択された場合、データ側（カラム）の信号は、Ｃ０列に駆動電流が流れず、Ｃ１列およびＣ２列に駆動電流が流れる信号となる。
【０１１１】
続いて、図１４（ｃ）に示されるＲ５行選択時では、ドライバＩＣ１２は「△」の有機ＥＬ画素１４を発光させるべく、データ選択スイッチ３６、３７によりＧＮＤを選択し、データ選択スイッチ３８により定電流源４１を選択する。これにより、図１２に示されるように、Ｒ５行が選択された場合、データ側（カラム）の信号は、Ｃ０列およびＣ１列に駆動電流が流れず、Ｃ２列に駆動電流が流れる信号となる。
【０１１２】
このように、「○」の有機ＥＬ画素１４については、Ｒ３、Ｒ４行選択時それぞれで点灯させることで、点灯時間はドット表示部７の有機ＥＬ画素１３の点灯時間の２倍となる。また、「△」の有機ＥＬ画素１４については、Ｒ３〜Ｒ５行選択時それぞれで点灯させることで、点灯時間はドット表示部７の有機ＥＬ画素１３の点灯時間の３倍となる。このように、面積が大きい画素の点灯時間を長くしている。このため、ドット表示部７の有機ＥＬ画素１３とは画素面積が異なるセグメント表示部８の有機ＥＬ画素１４についても、電流密度×点灯時間が一定となるようにすることにより表示輝度を均一に制御できる。
【０１１３】
上記のようにして、ドライバＩＣ１２はＲＡＭ１７に記憶された表示データを有機ＥＬパネル２に表示する。
【０１１４】
そして、ドライバＩＣ１２は、有機ＥＬパネル２を減光させて画像表示する場合、有機ＥＬ画素１３、１４を発光させる走査期間のデータ電極選択期間（カラム側）のパルス幅をＰＷＭ制御により小さくすることにより減光制御する。
【０１１５】
以上説明したように、本実施形態では、ドライバＩＣ１２は、有機ＥＬ画素１３、１４に流れる電流密度（＝駆動電流／画素面積）と有機ＥＬ画素１３、１４の点灯時間との積が一定になるように、各有機ＥＬ画素１３、１４の点灯時間を制御することが特徴となっている。
【０１１６】
これにより、画素面積が異なる各有機ＥＬ画素１３、１４の表示輝度をそれぞれ同じにすることができる。このため、ドット表示部７の有機ＥＬ画素１３の画素面積とセグメント表示部８の有機ＥＬ画素１４の画素面積とが異なっていたとしても、各有機ＥＬ画素１３、１４の表示輝度をそれぞれ均一にすることができる。したがって、ドット表示部７およびセグメント表示部８で輝度ムラのない表示を得ることができる。
【０１１７】
特に、有機ＥＬ表示装置１を車両１５に搭載する場合、有機ＥＬパネル２の画像表示に輝度ムラが無くなったことで運転者等の搭乗者に画像を認識させやすくすることができる。
【０１１８】
なお、本実施形態の記載と特許請求の範囲の記載との対応関係については、ドット表示部（ドットマトリクス表示部）７が特許請求の範囲の「第１画素群」に対応し、セグメント表示部８が特許請求の範囲の「第２画素群」に対応する。また、ドット表示部７に係るドット用ロウ配線１０が特許請求の範囲の「第１画素群に係る１走査線」に対応し、セグメント表示部８に係るセグメント用ＣＯＭ配線１１が特許請求の範囲の「第２画素群に係る１走査線」に対応し、カラム配線９が特許請求の範囲の「データ電極駆動配線」に対応する。さらに、ドライバＩＣ１２およびセグメント用ＣＯＭ信号生成回路５が特許請求の範囲の「ドライバ」に対応する。
【０１１９】
また、カラム電圧生成部２４、ドットロウ電圧生成部２５、およびセグメント用ＣＯＭ電圧生成部２６が特許請求の範囲の「電圧生成部」に対応する。
【０１２０】
（第２実施形態）
本実施形態では、第１実施形態と異なる部分について説明する。第１実施形態では、セグメント表示部８の「○」を２回点灯させるため、走査側（ロウ）においてＲ３〜Ｒ５行のうちＲ３行とＲ４行とで連続して「○」に係る有機ＥＬ画素１４を点灯させ、Ｒ５行では点灯させていなかった。上述のように、「○」に係る点灯時間はドット表示部７の有機ＥＬ画素１３の点灯時間の２倍になっていれば良いので、「点灯時間」はＲ３〜Ｒ５行内で調整することができる。
【０１２１】
そこで、本実施形態では、図１５に示されるように、ＲＡＭ１７の中身を設定する。具体的には、Ｃ１列において「○」を発光させる際のタイミングをＲ３行とＲ５行との２回とする。これにより、ドライバＩＣ１２の駆動波形は図１６に示される波形となる。
【０１２２】
すなわち、図１７（ａ）に示されるＲ３行選択時では、ドライバＩＣ１２は「○」と「△」の有機ＥＬ画素１４を発光させるべく、データ選択スイッチ３６によりＧＮＤを選択し、データ選択スイッチ３７、３８により定電流源４０、４１を選択する。これにより、図１６に示されるように、Ｒ３行およびＲ４行が選択された場合、データ側（カラム）の信号は、Ｃ０列に駆動電流が流れず、Ｃ１列およびＣ２列に駆動電流が流れる信号となる。つまり、「○」と「△」の有機ＥＬ画素１４が発光する。
【０１２３】
続いて、図１７（ｂ）に示されるＲ４行選択時では、ドライバＩＣ１２は「△」の有機ＥＬ画素１４を発光させるべく、データ選択スイッチ３６、３７によりＧＮＤを選択し、データ選択スイッチ３８により定電流源４１を選択する。これにより、図１６に示されるように、Ｒ４行が選択された場合、データ側（カラム）の信号は、Ｃ０列およびＣ１列に駆動電流が流れず、Ｃ２列に駆動電流が流れる信号となる。つまり、「△」の有機ＥＬ画素１４のみが発光する。
【０１２４】
さらに、図１７（ｃ）に示されるＲ５行選択時では、ドライバＩＣ１２は「○」と「△」の有機ＥＬ画素１４を発光させるべく、データ選択スイッチ３６によりＧＮＤを選択し、データ選択スイッチ３７、３８により定電流源４０、４１を選択する。これにより、図１６に示されるように、Ｒ５行が選択された場合、データ側（カラム）の信号は、Ｃ０列およびＣ１列に駆動電流が流れず、Ｃ２列に駆動電流が流れる信号となる。つまり、「○」と「△」の有機ＥＬ画素１４が発光する。
【０１２５】
このように、「○」の有機ＥＬ画素１４は、ドット表示部７に割り当てられたＲ３〜Ｒ５行の走査期間中に合計で２回点灯するように制御することもできる。
【０１２６】
なお、Ｒ３行では点灯させずに、Ｒ４行とＲ５行とで連続して「○」に係る有機ＥＬ画素１４を点灯させても良い。
【０１２７】
（第３実施形態）
本実施形態では、第１、第２実施形態と異なる部分について説明する。上記各実施形態では、各有機ＥＬ画素１３、１４の画素面積と電流密度との積が一定になるように点灯時間を制御していたが、本実施形態では各有機ＥＬ画素１３、１４の発光効率特性に応じて点灯時間を制御することが特徴となっている。
【０１２８】
図１８は、発光効率特性が異なる素子Ａ、Ｂの電流密度と瞬間輝度との関係を示した図である。なお、素子Ａがドット表示部７の有機ＥＬ画素１３に対応し、素子Ｂがセグメント表示部８の有機ＥＬ画素１４に対応している。
【０１２９】
そして、素子Ａと素子Ｂとの相対的な発光効率特性は、素子Ａの発光効率が１であるのに対して、素子Ｂの発光効率は０．３３である。このような発光効率特性の違いは、例えば発光色の違いである。したがって、図１８に示されるように、各素子Ａ、Ｂの表示輝度（瞬間輝度）は電流密度（＝駆動電流／画素面積）に比例するが、発光効率が相対的に高い素子Ａの傾きが大きく、同じ電流密度であっても瞬間輝度が高くなっている。
【０１３０】
例えば、データ電極から１画素に印加する駆動電流を０．６ｍＡとすると、各素子Ａ、Ｂは図１９に示されるように分類される。本実施形態では、各有機ＥＬ画素１３、１４の形状は共にドット（□）であり、各有機ＥＬ画素１３、１４の画素面積は同じである。
【０１３１】
図１９に示されるように、素子Ａ（ドット表示部７の有機ＥＬ画素１３）であるドット（□）の面積を０．００１ｃｍ２とすると電流密度は６００ｍＡ／ｃｍ２となる。これにより、図１８から瞬間輝度は２７０００ｃｄ／ｍ２となる。一方、素子Ｂ（セグメント表示部８の有機ＥＬ画素１４）の面積も０．００１ｃｍ２であり電流密度も６００ｍＡ／ｃｍ２である。しかし、素子Ｂは素子Ａに対して相対的に発光効率が低いので、瞬間輝度は９０００ｃｄ／ｍ２となる。
【０１３２】
したがって、図１９に示される各素子Ａ、Ｂ（有機ＥＬ画素１３、１４）の瞬間輝度を同一にするためには、素子Ｂの点灯時間を素子Ａの点灯時間の３倍とすれば良い。このように、各有機ＥＬ画素１３、１４の発光効率特性が異なり、各有機ＥＬ画素１３、１４に印加する駆動電流の大きさは同じであるので、発光効率特性が異なる各画素を同じ表示輝度で表示するためには点灯時間を制御すれば、異なる発光効率特性の画素の表示輝度をそれぞれ同一にすることができる。
【０１３３】
このため、本実施形態では、ドライバＩＣ１２は、有機ＥＬ画素１３、１４の発光効率特性に応じて、有機ＥＬ画素１３、１４の相対的な発光効率比と有機ＥＬ画素１３、１４の点灯時間との積が一定になるように、当該点灯時間を制御する。
【０１３４】
具体的には、ドライバＩＣ１２は以下のように点灯時間を制御する。まず、図２０（ａ）は、本実施形態において有機ＥＬパネル２に画像表示する一例を示した図である。ドット表示部７のマトリクスのうち（０，０）、（０，１）、（１，２）、（２，０）の有機ＥＬ画素１３を発光させ、セグメント表示部８のうち最も右側つまり（３，２）の有機ＥＬ画素１４を発光させるとする。また、図２０（ｂ）に示されるように、図２０（ａ）のように各有機ＥＬ画素１３、１４を発光させるようにＲＡＭ１７に表示データが記憶されている。
【０１３５】
図２１は、ドライバＩＣ１２の駆動波形を示した図である。また、図２２は、図２１に示される駆動波形のうち第２選択期間４６に従った回路動作を示した回路図である。なお、走査側（ロウ）におけるＲ０〜Ｒ２行およびデータ側（カラム）におけるＣ０〜Ｃ２列の回路動作、すなわち第１選択期間４５における回路動作は第１実施形態と同じである。
【０１３６】
そして、図２２（ａ）〜図２２（ｃ）に示されるＲ３〜Ｒ５行選択時では、ドライバＩＣ１２は３つの有機ＥＬ画素１４のうちの１つを発光させるべく、データ選択スイッチ３６、３７によりＧＮＤを選択し、データ選択スイッチ３８により定電流源４１を選択する。また、ドライバＩＣ１２は走査電極選択スイッチ４２〜４４により電圧ＶｄｄＲ（ｄｏｔ）を選択し、同期信号を出力することでセグメント用ＣＯＭ信号生成回路５によりＧＮＤを選択する。
【０１３７】
これにより、図２１に示されるように、Ｒ３〜Ｒ４行が選択された場合、データ側（カラム）の信号は、Ｃ０列およびＣ１列に駆動電流が流れず、Ｃ２列に駆動電流が流れる信号となる。つまり、図２０（ａ）に示される有機ＥＬ画素１４のうち斜線ハッチングが付いた部分が発光する。
【０１３８】
以上のように、ドット表示部７の有機ＥＬ画素１３の発光効率は、セグメント表示部８の有機ＥＬ画素１４の発光効率の３倍であるので、セグメント表示部８の有機ＥＬ画素１４の点灯時間をドット表示部７の有機ＥＬ画素１３の点灯時間の３倍としている。このように、有機ＥＬ画素１３、１４の相対的な発光効率比と有機ＥＬ画素１３、１４の点灯時間との積が一定となるように当該点灯時間を制御しているので、相対的な発光効率比が異なる各有機ＥＬ画素１３、１４の表示輝度を均一にすることができる。したがって、ドット表示部７およびセグメント表示部８で輝度ムラのない表示を得ることができる。
【０１３９】
（第４実施形態）
本実施形態では、第１〜第３実施形態と異なる部分について説明する。本実施形態では、各有機ＥＬ画素１３、１４の画素面積および発光効率特性に応じて点灯時間を制御することが特徴となっている。
【０１４０】
図２３は、画素面積および発光効率特性が異なる素子Ａ、Ｃの電流密度と瞬間輝度との関係を示した図である。なお、素子Ａがドット表示部７の有機ＥＬ画素１３に対応し、素子Ｃがセグメント表示部８の有機ＥＬ画素１４に対応している。
【０１４１】
そして、素子Ａと素子Ｃとは画素面積がそれぞれ異なっていると共に、素子Ａと素子Ｃとの相対的な発光効率特性は素子Ａの発光効率が１であるのに対して、素子Ｃの発光効率は１．５である。したがって、図２３に示されるように、各素子Ａ、Ｃの表示輝度（瞬間輝度）は電流密度（＝駆動電流／画素面積）に比例するが、発光効率が相対的に高い素子Ｃの傾きが大きく、同じ電流密度であっても瞬間輝度が高くなっている。
【０１４２】
例えば、データ電極から１画素に印加する駆動電流を０．６ｍＡとすると、各素子Ａ、Ｃは図２４に示されるように分類される。すなわち、ドット表示部７の有機ＥＬ画素１３であるドット（□）の面積を０．００１ｃｍ２とすると電流密度は６００ｍＡ／ｃｍ２となり、瞬間輝度は２７０００ｃｄ／ｍ２となる。
【０１４３】
一方、セグメント表示部８の有機ＥＬ画素１４は、図２４に示されるように、セグＡ（▽）の面積を０．００１５ｃｍ２とすると電流密度は４００ｍＡ／ｃｍ２となり、瞬間輝度は２７０００ｃｄ／ｍ２となる。また、セグＢ（△）の面積を共に０．００３ｃｍ２とすると電流密度は２００ｍＡ／ｃｍ２となり、瞬間輝度は１３５００ｃｄ／ｍ２となる。また、セグＣ（◇）の面積を０．００４５ｃｍ２とすると電流密度は１３３．３ｍＡ／ｃｍ２となり、瞬間輝度は９０００ｃｄ／ｍ２となる。
【０１４４】
したがって、図２４に示される各有機ＥＬ画素１３、１４の瞬間輝度を同一にするためには、素子Ｃ（セグＡ；▽）の点灯時間を素子Ａ（ドット）の１倍とし、素子Ｃ（セグＢ；△）の点灯時間を素子Ａ（ドット）の２倍とし、素子Ｃ（セグＣ；◇）の点灯時間を素子Ａ（ドット）の３倍とすれば良い。このように、各有機ＥＬ画素１３、１４の画素面積および発光効率特性が異なり、各有機ＥＬ画素１３、１４に印加する駆動電流の大きさは同じであるので、画素面積および発光効率特性が異なる各画素を同じ表示輝度で表示するためには点灯時間をそれぞれ制御すれば、異なる画素面積および発光効率特性の画素の表示輝度をそれぞれ同一にすることができる。
【０１４５】
このため、ドライバＩＣ１２は、各有機ＥＬ画素１３、１４の画素面積および発光効率特性に応じて、有機ＥＬ画素１３、１４に流れる電流密度（＝駆動電流／画素面積）と有機ＥＬ画素１３、１４の相対的な発光効率比と有機ＥＬ画素１３、１４の点灯時間との積が一定になるように、当該点灯時間を制御する。
【０１４６】
図２５（ａ）は、有機ＥＬパネル２に画像表示する一例を示した図である。ドット表示部７のマトリクスのうち（０，０）、（０，１）、（１，２）、（２，０）の有機ＥＬ画素１３を発光させ、セグメント表示部８のうち「▽」と「△」と「◇」のすべての有機ＥＬ画素１４を発光させるとする。
【０１４７】
また、ドット表示部７の有機ＥＬ画素１３の面積をＳとすると、セグメント表示部８の「▽」の有機ＥＬ画素１４の面積は１．５Ｓ、「△」の有機ＥＬ画素１４の面積は３Ｓ、「◇」の有機ＥＬ画素１４の面積は４．５Ｓである。そして、上述のように、電流密度と相対的な発光効率比と点灯時間との積が一定となるようにするためには、「▽」の有機ＥＬ画素１４の点灯時間を有機ＥＬ画素１３の点灯時間の１倍とし、「△」の有機ＥＬ画素１４の点灯時間を有機ＥＬ画素１３の点灯時間の２倍とし、「◇」の有機ＥＬ画素１４の点灯時間を有機ＥＬ画素１３の点灯時間の３倍とすれば良い。
【０１４８】
したがって、図２５（ｂ）に示されるように、図２５（ａ）のように各有機ＥＬ画素１３、１４を発光させるようにＲＡＭ１７に表示データが記憶されている。すなわち、セグメント表示部８に係るＲ３〜Ｒ５行において、Ｃ０列で１回、Ｃ１列で２回、Ｃ２列で３回点灯するように表示データが記憶されている。
【０１４９】
図２６は、ドライバＩＣ１２の駆動波形を示した図である。また、図２７は、図２６に示される駆動波形のうち第２選択期間４６に従った回路動作を示した回路図である。なお、走査側（ロウ）におけるＲ０〜Ｒ２行およびデータ側（カラム）におけるＣ０〜Ｃ２列の回路動作は第１実施形態と同じである。
【０１５０】
まず、Ｒ３〜Ｒ５行選択時（第２選択期間４６）では、ドライバＩＣ１２は走査電極選択スイッチ４２〜４４により電圧ＶｄｄＲ（ｄｏｔ）を選択し、同期信号を出力することでセグメント用ＣＯＭ信号生成回路５によりＧＮＤを選択する。これにより、データ選択スイッチ３６〜３８により選択された有機ＥＬ画素１４が発光する。
【０１５１】
具体的には、図２７（ａ）に示されるＲ３行選択時では、ドライバＩＣ１２は「▽」と「△」と「◇」のすべての有機ＥＬ画素１４を発光させるべく、データ選択スイッチ３６〜３８により定電流源３９〜４１を選択する。これにより、図２６に示されるように、Ｒ３〜Ｒ５行が選択された場合、データ側（カラム）の信号は、Ｃ０〜Ｃ２列に駆動電流が流れる信号となる。つまり、「▽」と「△」と「◇」のすべての有機ＥＬ画素１４が発光する。
【０１５２】
続いて、図２７（ｂ）に示されるＲ４行選択時では、ドライバＩＣ１２は「△」と「◇」の有機ＥＬ画素１４を発光させるべく、データ選択スイッチ３６によりＧＮＤを選択し、データ選択スイッチ３７、３８により定電流源４０、４１を選択する。これにより、図２６に示されるように、Ｒ４行が選択された場合、データ側（カラム）の信号は、Ｃ０列に駆動電流が流れず、Ｃ２、Ｃ３列に駆動電流が流れる信号となる。つまり、「△」と「◇」の有機ＥＬ画素１４が発光する。
【０１５３】
この後、図２７（ｃ）に示されるＲ５行選択時では、ドライバＩＣ１２は「◇」の有機ＥＬ画素１４を発光させるべく、データ選択スイッチ３６、３７によりＧＮＤを選択し、データ選択スイッチ３８により定電流源４１を選択する。これにより、図２６に示されるように、Ｒ５行が選択された場合、データ側（カラム）の信号は、Ｃ０列およびＣ１列に駆動電流が流れず、Ｃ２列に駆動電流が流れる信号となる。つまり、「◇」の有機ＥＬ画素１４のみが発光する。
【０１５４】
これにより、第２選択期間４６では、セグメント表示部８の各有機ＥＬ画素１４のうち「▽」は１回発光し、「△」は２回発光し、「◇」は３回発光する。すなわち、発光回数で点灯時間が制御される。なお、「△」の有機ＥＬ画素１４を発光させる場合、第２実施形態と同様に、Ｒ３行とＲ５行とのタイミングで発光させても良い。
【０１５５】
以上説明したように、本実施形態では、ドット表示部７およびセグメント表示部８において画素面積および発光効率特性が異なる有機ＥＬ画素１３、１４を発光させるに際し、有機ＥＬ画素１３、１４に流れる電流密度と相対的な発光効率比と点灯時間との積が一定となるように当該点灯時間を制御することが特徴となっている。これにより、ドット表示部７の有機ＥＬ画素１３の表示輝度とセグメント表示部８の有機ＥＬ画素１４の表示輝度とをそれぞれ均一にすることができる。したがって、ドット表示部７およびセグメント表示部８において輝度ムラのない表示を得ることができる。
【０１５６】
（第５実施形態）
本実施形態では、第１〜第４実施形態と異なる部分について説明する。本実施形態では、ドット表示部７に画像を表示する第１選択期間４５とセグメント表示部８に画像を表示する第２選択期間４６とのそれぞれの期間に応じて、減光期間にドット表示部７の有機ＥＬ画素１３に印加する逆バイアス電圧を変化させることが特徴となっている。
【０１５７】
図２８は、ドライバＩＣ１２の駆動波形を示した図である。この図に示されるように、本実施形態では、第２選択期間４６の際にＲ０〜Ｒ２行に相当するドット用ロウ配線１０に印加される逆バイアス電圧（電圧ＶｄｄＲ（ｄｏｔ））を低下させる。
【０１５８】
このように逆バイアス電圧を変化させる、すなわち低下させることについて、図２９〜図３３を参照して説明する。なお、本実施形態では、第１実施形態を同じ画像表示（図１１参照）を行うものとする。また、電圧ＶｄｄＲ（ｄｏｔ）＝電圧ＶｄｄＲ（ｓｅｇ）であるとする。
【０１５９】
まず、図２９（ａ）に示されるｎ行選択前のリセット期間では、ドライバＩＣ１２は、データ選択スイッチ３６〜３８によりＧＮＤを選択し、走査電極選択スイッチ４２〜４４によりＧＮＤを選択し、セグメント用ＣＯＭ信号生成回路５によりＧＮＤを選択する。これにより、図２９（ｂ）に示されるように、例えば、（０，２）、（１，２）、（２，２）、（３，２）で構成される回路の有機ＥＬ画素１３、１４に蓄積された電荷はＧＮＤに放電される。また、（０，２）、（１，２）、（２，２）、（３，２）で構成される回路の有機ＥＬ画素１３、１４に蓄積された電荷はＧＮＤに放電される。
【０１６０】
この後、図３０（ａ）に示されるＲ１行選択時では、ドライバＩＣ１２は（１，２）の有機ＥＬ画素１３を発光させるべく、図２９（ａ）に示されるスイッチの状態から、データ選択スイッチ３８により定電流源４１を選択する。また、ドライバＩＣ１２は、走査電極選択スイッチ４２、４４により電圧ＶｄｄＲ（ｄｏｔ）を選択する。また、ドライバＩＣ１２は同期信号を出力してセグメント用ＣＯＭ信号生成回路５により電圧ＶｄｄＲ（ｓｅｇ）を選択する。
【０１６１】
このように、ドライバＩＣ１２によって各スイッチが切り替えられると、図３０（ｂ）に示されるように、（１，２）の有機ＥＬ画素１３の選択開始時に寄生容量を介して（１，２）の有機ＥＬ画素１３に印加される電圧は瞬間的に電圧ＶｄｄＲ（ｓｅｇ）＝電圧ＶｄｄＲ（ｄｏｔ）の電圧に上昇しようとする。このような作用は、Ｒ０行およびＲ２行についても同様に生じる。
【０１６２】
続いて、図３１（ａ）に示されるＲ４行選択時では、ドライバＩＣ１２は（３，１）と（３，２）の有機ＥＬ画素１４を発光させるべく、図２９（ａ）に示されるスイッチの状態から、データ選択スイッチ３７、３８により定電流源４０、４１を選択する。また、ドライバＩＣ１２は、走査電極選択スイッチ４２〜４４により電圧ＶｄｄＲ（ｄｏｔ）を選択する。
【０１６３】
このようなスイッチの切り替えにより、図３１（ｂ）に示されるように、（３，１）の有機ＥＬ画素１４の選択開始時に寄生容量を介して（３，１）の有機ＥＬ画素１４に印加される電圧は瞬間的に電圧ＶｄｄＲ（ｓｅｇ）の電圧に上昇しようとする。（３，２）の有機ＥＬ画素１４についても同様である。このような作用は、Ｒ３行およびＲ５行についても同様に生じる。
【０１６４】
このように、リセット駆動では、リセット解除時に、各有機ＥＬ画素１３、１４の寄生容量からの回り込みで、選択ライン（ドット用ロウ配線１０）の電位を瞬間的に持ち上げる効果がある。
【０１６５】
すなわち、面積の異なる有機ＥＬ画素１３、１４を図３２に示されるように同一の駆動電流で発光させた場合、画素面積が大きくなるほど、有機ＥＬ画素１３、１４にかかる順電圧が低下してしまう。データ電極（カラム側）の立ち上がり期間（１０μｓ）に対し、データ電極選択期間全体が充分に広いとき（例えば２００μｓ）は、逆バイアス電圧の回り込みによる瞬間的な発光（５μｓ程度）は無視できるが、ＰＷＭ制御で減光を行い、データ電極選択期間のパルス幅が狭いとき（例えば１２μｓ）は逆バイアス電圧の回り込みによる瞬間的な発光（５μｓ程度）が無視できなくなるという問題がある。これは、各有機ＥＬ画素１３、１４で発光効率が異なる場合も同様である。
【０１６６】
したがって、ドット表示部７を駆動する第１選択期間４５では電圧ＶｄｄＲ（ｓｅｇ）および電圧ＶｄｄＲ（ｄｏｔ）の電圧を同一とし、セグメント表示部８を駆動する第２選択期間４６では電圧ＶｄｄＲ（ｄｏｔ）を低下させることによりリセット解除時の逆バイアス電圧の回り込みによるオーバーシュートの影響をなくすことができる。
【０１６７】
図３３は、画素面積が異なるドット画素（ドット表示部７の有機ＥＬ画素１３；０．０９ｍ２）とセグメント画素（セグメント表示部８の有機ＥＬ画素１４；４ｍｍ２）とにおいて、リセット期間後の立ち上がり期間におけるカラム波形と光学波形とを示した図である。なお、カラム波形はカラム配線９の電圧波形であり、光学波形は発光を示す波形である。
【０１６８】
図３３に示されるように、逆バイアス電圧が１３Ｖの場合、セグメント画素において立ち上がり期間の光学波形は、立ち上がりが急峻になっており、逆バイアス電圧の回り込みによるオーバーシュートの影響が出ている。減光比１００％の場合、データ電極（カラム側）の立ち上がり期間（１０μｓ）に対し、データ電極選択期間は２００μｓと充分に広いが、減光比５％の場合、データ電極選択期間は１２μｓであるため、立ち上がり期間に対し、オーバーシュートの影響が無視できなくなる。ドット画素とセグメント画素の光学波形の面積比すなわち輝度ムラを比較した場合、減光比１００％の場合の輝度ムラは９５％程度であるが、減光比５％の場合の輝度ムラは８０％程度まで悪化する。
【０１６９】
しかし、セグメント表示部８を駆動する第２選択期間４６にドット表示部７の有機ＥＬ画素１３に印加する逆バイアス電圧を１３Ｖから１１Ｖに下げると、セグメント画素において立ち上がり期間の光学波形は緩やかになり、逆バイアス電圧の回り込みによるオーバーシュートの影響が無くなる。このため、ドット画素に係る光学波形とセグメント画素に係る光学波形との立ち上がり波形が均一になる。ドット画素とセグメント画素の光学波形の面積比すなわち輝度ムラを比較した場合、減光比５％の場合の輝度ムラは９５％程度まで改善した。
【０１７０】
以上のように、リセット駆動による寄生容量からの回り込み電荷を少なくすることができるので、リセット駆動後の立ち上がり波形を画素面積によらず均一にすることが可能となり、輝度ムラの少ない良好な表示を得ることが可能になる。
【０１７１】
なお、上述のように、特許文献３、４では減光時に全体的に逆バイアスを低下させているが、面積の異なる有機ＥＬ画素１３、１４を駆動する本実施形態に適用した場合、図３３の逆バイアス電圧１１Ｖ時のように、ドット画素とセグメント画素の光学波形の面積比すなわち輝度ムラは、減光比５％の場合、７０％程度となり、輝度ムラの改善は見られなかった。
【０１７２】
（第６実施形態）
本実施形態では、第１〜第５実施形態と異なる部分について説明する。本実施形態では、減光期間に第２選択期間４６ではドット表示部７でリセット駆動を停止することが特徴となっている。
【０１７３】
図３４は、ドライバＩＣ１２の駆動波形を示した図である。この図に示されるように、ドライバＩＣ１２は、ドット表示部７を駆動する場合、第１選択期間４５ではリセット駆動を行うが、第２選択期間４６ではリセット駆動を行っていない。上述のように、リセット駆動を行うと、リセット解除時に、各有機ＥＬ画素１３、１４の寄生容量からの回り込みでドット用ロウ配線１０の電位が瞬間的に持ち上がってしまうため、本実施形態ではリセット駆動そのものを行わないようにしている。なお、図３４では、第１実施形態を同じ画像表示（図１１参照）を行う駆動波形になっている。
【０１７４】
図３５は、リセット駆動を停止する場合のセグメント画素の光学波形を示した図である。この図に示されるように、逆バイアス電圧が１２Ｖの場合でリセット駆動を停止する場合は、セグメント画素の光学波形の立ち上がり期間にオーバーシュートは発生せず、図３３の逆バイアス電圧１２Ｖ、ドット画素の光学波形に示される光学波形と同じ立ち上がり波形が得られる。ドット画素とセグメント画素の光学波形の面積比すなわち輝度ムラを比較すると、リセット駆動有りの場合、減光比５％の輝度ムラは８０％程度だが、セグメント表示部８を駆動する第２選択期間４６にリセット駆動を停止した場合、減光比５％の輝度ムラは９５％程度まで改善した。
【０１７５】
以上のように、ドット表示部７を駆動するに際し、第２選択期間４６ではドット表示部７でリセット駆動を停止することにより、セグメント表示部８において逆バイアス電圧の回り込みによるオーバーシュートの影響を無くすことができる。
【０１７６】
（第７実施形態）
本実施形態では、第１〜第６実施形態と異なる部分について説明する。本実施形態においても、第１実施形態を同じ画像表示（図１１参照）を行うものとする。
【０１７７】
図３６は、本実施形態に係るＲＡＭ１７の表示データを示した図である。また、図３７は、ドライバＩＣ１２の駆動波形を示した図である。図３６から図３８では、一例としてドライバＩＣ１２の出力はカラム（データ）側は３本、ロウ（走査）側は８本として示されている。
【０１７８】
図３６に示されるように、ドット表示部７に対応したＲ０〜Ｒ２行とセグメント表示部８に対応したＲ４〜Ｒ６行との間に表示データが設けられていないＲ３行およびＲ７行が設けられている。これらＲ３行およびＲ７行では、図３７に示されるように、データ側（カラム）に信号が入力されない電圧変化期間４７（１Ｖｓｙｎｃ）とされている。このように、ドライバＩＣ１２は、第２選択期間４６のうちセグメント表示部８の有機ＥＬ画素１４を駆動する期間の前後に、逆バイアス電圧を変化させる電圧変化期間４７を設けている。
【０１７９】
具体的には、図３８に示されるようにスイッチを切り替える。なお、Ｒ０〜Ｒ２行についての回路動作は第１実施形態と同じである。
【０１８０】
まず、Ｒ２行選択時後、図３８（ａ）に示されるＲ３行選択時では、ドット表示部７の有機ＥＬ画素１３に印加する逆バイアス電圧を確実に切り替えるべく、データ選択スイッチ３６〜３８によりＧＮＤを選択する。また、ドライバＩＣ１２は、走査電極選択スイッチ４２〜４４により電圧ＶｄｄＲ（ｄｏｔ）を選択すると共に、同期信号を出力してセグメント用ＣＯＭ信号生成回路５によりＧＮＤを選択する。このＲ３行選択時が電圧変化期間４７に相当する。
【０１８１】
次に、図３８（ｂ）に示されるＲ４、Ｒ５行選択時では、ドライバＩＣ１２は「○」と「△」の有機ＥＬ画素１４を発光させるべく、データ選択スイッチ３６によりＧＮＤを選択し、データ選択スイッチ３７、３８により定電流源４０、４１を選択する。
【０１８２】
この後、図３８（ｃ）に示されるＲ６行選択時では、ドライバＩＣ１２は「△」の有機ＥＬ画素１４を発光させるべく、データ選択スイッチ３６、３７によりＧＮＤを選択し、データ選択スイッチ３８により定電流源４１を選択する。
【０１８３】
このように、有機ＥＬ画素１４を発光させた後、図３８（ａ）に示されるＲ７行選択時つまり電圧変化期間４７では、Ｒ３行選択時と同様に、データ選択スイッチ３６〜３８によりＧＮＤを選択し、走査電極選択スイッチ４２〜４４により電圧ＶｄｄＲ（ｄｏｔ）を選択し、同期信号を出力してセグメント用ＣＯＭ信号生成回路５によりＧＮＤを選択する。
【０１８４】
以上のように、第２選択期間４６において、第１選択期間４５と第２選択期間４６との切り替えタイミングでドット表示部７の有機ＥＬ画素１３に逆バイアス電圧を印加する電圧変化期間４７を設けているので、逆バイアス電圧が変化過渡状態で選択期間を切り替えることを回避でき、電圧変化期間４７において確実に逆バイアス電圧の切り替えを行うことができる。
【０１８５】
（第８実施形態）
本実施形態では、第１〜第７実施形態と異なる部分について説明する。本実施形態では、階調を利用して、ドット表示部７とセグメント表示部８との表示輝度を均一にすることが特徴となっている。
【０１８６】
第１実施形態において、図８を参照して説明したように、電流密度（＝駆動電流／画素面積）と瞬間輝度とは比例関係にある。例えば、１画素に印加する駆動電流を０．６ｍＡとすると、各画素は図３９に示されるように分類される。
【０１８７】
図３９に示されるように、ドット（ドット表示部７の有機ＥＬ画素１３）の面積を０．００１ｃｍ２とすると電流密度は６００ｍＡ／ｃｍ２となり、瞬間輝度は２７０００ｃｄ／ｍ２となる。一方、セグＤ〜Ｆ（セグメント表示部８の有機ＥＬ画素１４）については、セグＤの形状は「←」であり、面積は０．００１３３ｃｍ２であり、電流密度は４５０ｍＡ／ｃｍ２であり、瞬間輝度は２０３００ｃｄ／ｃｍ２である。また、セグＥの形状は「↑」であり、面積は０．００２ｃｍ２であり、電流密度は３００ｍＡ／ｃｍ２であり、瞬間輝度は１３５００ｃｄ／ｃｍ２である。また、セグＦの形状は「→」であり、面積は０．００２６７ｃｍ２であり、電流密度は２２５ｍＡ／ｃｍ２であり、瞬間輝度は１０１００ｃｄ／ｃｍ２である。
【０１８８】
このような各画素の瞬間輝度を同一にするためには、セグＤの点灯時間をドットの点灯時間の１．３３倍とすれば良い。同様に、セグＥの点灯時間をドットの点灯時間の２倍とし、セグＦの点灯時間をドットの点灯時間の２．６７倍とすれば良い。したがって、本実施形態では、ドライバＩＣ１２が持つ走査線数をＭとし、ドット表示部７の走査線数（ドット用ロウ配線１０の数）をｍとし、ドライバＩＣ１２が制御可能な階調数をｎとすると、ドライバＩＣ１２は、（Ｍ−ｍ）×（ｎ−１）段階で点灯時間を制御することを特徴とする。
【０１８９】
図４０は、カラム配線９に印加するカラムパルス幅を示した図である。この図に示されるように、１走査期間において、１／３階調ではパルス幅はＴ１、２／３階調ではパルス幅はＴ１の２倍のＴ２、そして、３／３階調ではＴ１の３倍のＴ３となっている。このように階調を利用することで、カラム配線９に印加する駆動電流のパルス幅つまり点灯時間を制御することが可能となっている。
【０１９０】
図４１（ａ）は、有機ＥＬパネル２に画像表示する一例を示した図である。ドット表示部７のマトリクスのうち（０，０）、（０，１）、（１，２）、（２，０）の有機ＥＬ画素１３を発光させ、セグメント表示部８のうち「←」と「↑」と「→」の有機ＥＬ画素１４を発光させるとする。なお、発光させる有機ＥＬ画素１３、１４にハッチングを付けてある。
【０１９１】
また、ドット表示部７の有機ＥＬ画素１３のドット面積をＳとすると、セグメント表示部８の「←」の有機ＥＬ画素１４の面積は（４／３）Ｓ、「↑」の有機ＥＬ画素１４の面積は（６／３）Ｓ、「→」の有機ＥＬ画素１４の面積は（８／３）Ｓであるとする。
【０１９２】
図４１（ｂ）は図４１（ａ）のように各有機ＥＬ画素１３、１４を発光させる場合のＲＡＭ１７の中身（表示データ）を示した図である。本実施形態では、例えば４階調で画像表示するため、各領域には各階調に応じて「１１」、「１０」、「０１」、「００」に分類されている。例えば、「００」はパルス幅が０つまり非発光を意味し、「０１」が所定のパルス幅であり、「１０」が「０１」の２倍のパルス幅、「１１」が「０１」の３倍のパルス幅を意味している。
【０１９３】
図４２は、ドライバＩＣ１２の駆動波形を示した図である。この図に示されるように、データ側（カラム）の各信号は、ＲＡＭ１７に記憶された階調に従ったパルス幅になっている。このため、ドット表示部７およびセグメント表示部８において発光する各有機ＥＬ画素１３、１４の発光時間がそれぞれ調節される。
【０１９４】
以上のように、階調を利用して細かい画素面積の補正が可能であるので、細かい点灯時間の制御を行うことができる。したがって、ドット表示部７およびセグメント表示部８で輝度ムラのない表示を得ることができる。
【０１９５】
（第９実施形態）
本実施形態では、第１〜第８実施形態と異なる部分について説明する。第２実施形態で示されたように、点灯時間の合計が所望の点灯時間に相当すれば、点灯時間は連続でも分割されていても良いと説明した。このことは、第８実施形態で示された場合にも適用することができる。
【０１９６】
すなわち、図４３（ａ）に示されるように、ＲＡＭ１７の表示データを設定しても良い。例えば、第８実施形態では、「←」や「↑」の有機ＥＬ画素１４はＲ５行選択時では発光させていなかったが、本実施形態では図４３（ｂ）に示されるようにＲ５行時に発光させている。このように、階調を利用して、データ側（カラム）のパルス幅を調節することにより、発光のタイミングやその時間を自由に設定することが可能である。
【０１９７】
（第１０実施形態）
本実施形態では、第１〜第９実施形態と異なる部分について説明する。上記各実施形態では、セグメント表示部８の有機ＥＬ画素１４の画素面積はドット表示部７の有機ＥＬ画素１３の画素面積に対して極端に大きな面積ではなかった。しかしながら、セグメント表示部８の有機ＥＬ画素１４の画素面積がドット表示部７の有機ＥＬ画素１３の画素面積に対して大きい場合には、セグメント表示部８の有機ＥＬ画素１４を複数に分割してそれぞれを駆動すれば良い。
【０１９８】
この場合、ドット表示部７の面積をＳとし、セグメント表示部８の面積をＳｘとし、ドライバＩＣ１２が持つ走査線数をＭとし、ドット表示部７の走査線数をｍとすると、セグメント表示部８の面積ＳｘがＳｘ≦（Ｍ−ｍ）×Ｓの関係を満たすように、有機ＥＬ画素１４を分割する。そして、例えば第８実施形態で示されたように、（Ｍ−ｍ）×（ｎ−１）段階で点灯時間の補正を行う。
【０１９９】
具体的には、ドライバＩＣ１２の階調ｎがｎ＝４階調、Ｍ＝３２（ドライバＩＣ１２が持つ走査線数）、ｍ＝２９（ドット表示部７の走査線数つまりドット用ロウ配線１０の数）とする。
【０２００】
そして、図４４は、セグメント表示部８の有機ＥＬ画素１４を分割した模式図である。この図に示されるように、例えば「８」という数字を構成する各有機ＥＬ画素１４が２つあるいは３つにそれぞれ分割されている。この場合、図４５（ａ）に示されるように、各カラム配線９（対応カラム）と、セグメント番号と、ドット表示部７の有機ＥＬ画素１３の画素面積との面積比が設定される。また、図４５（ｂ）に示されるようにＲＡＭ１７に表示データが設定される。
【０２０１】
例えば、図４４に示されるように、同一セグメントを構成するＳ１、Ｓ２を１カラム配線９で駆動すると、面積がドット表示部７の有機ＥＬ画素１３の画素面積の６倍となるため、電流密度は１／６となってしまう。電流密度と点灯時間の積が一定となるためには、ドット表示部７の６倍の点灯時間が必要となるが、（Ｍ−ｍ）＝３であるため、実際には点灯時間は３倍までしか確保できないので、輝度が低くなり、輝度ムラとなってしまう。そこで、同一セグメントを人間の目に見えない程度に分割することで、Ｓ１、Ｓ２の画素面積はドット表示部７の有機ＥＬ画素１３の３倍となり、ドット表示部７の有機ＥＬ画素１３の３倍の点灯時間を加えることで、輝度ムラのない表示を得ることができる。
【０２０２】
車両１５のメータ１６等で用いられる有機ＥＬパネル２の場合、視認者（搭乗者等）と有機ＥＬパネル２とは５００〜８００ｍｍ程度離れているため、実際には同一セグメントを１００μｍ程度で分割しても視認者は気にならない良好な表示を得ることができる。また、同一セグメントを分割する際、各面積を均等にすることにより、立ち上がりや点灯時間が同一になるため、同一セグメント内での輝度ムラがない表示を得ることができる。さらに、上述のようにパルス幅による階調機能がついているドライバＩＣ１２であれば、各面積に応じてより細かい点灯時間の補正をすることが可能となる。
【０２０３】
（他の実施形態）
上記各実施形態では、有機ＥＬ表示装置１は、車両１５に搭載されるものとして説明したが、これは有機ＥＬ表示装置１の用途の一例であり、車両１５に限らず画像表示するものとして用いることができる。また、発光効率特性の違いに関わらず、ドット表示部７の有機ＥＬ画素１３の発光色とセグメント表示部８の有機ＥＬ画素１４の発光色とが異なっていても良い。
【０２０４】
また、上記各実施形態では、セグメント用ＣＯＭ信号生成回路５はドライバＩＣ１２の外部に設けられているが、ドライバＩＣ１２に内蔵されていても良い。この場合、ドライバＩＣ１２が特許請求の範囲の「ドライバ」に対応する。
【０２０５】
そして、セグメント表示部８の面積が大きい場合、すなわちドット表示部７の面積をＳとし、セグメント表示部８の面積をＳｘとし、ドライバＩＣ１２が持つ走査線数をＭとし、ドット表示部７の走査線数をｍとすると、ドット表示部７およびセグメント表示部８がＳｘ＞（Ｍ−ｍ）×Ｓの関係を満たす場合、セグメント表示部８はＳｘ’≦（Ｍ−ｍ）×Ｓを満たすようにセグメント表示部８の有機ＥＬ画素１４が分割されていても良い。
【０２０６】
さらに、ドット表示部７の有機ＥＬ画素１３に印加する逆バイアス電圧をＶｒ１（電圧ＶｄｄＲ（ｄｏｔ））とし、セグメント表示部８の有機ＥＬ画素１４に印加する逆バイアス電圧をＶｒ２（電圧ＶｄｄＲ（ｓｅｇ））とすると、ドライバＩＣ１２および電圧生成部２４、２５、２６は、Ｖｒ１≦Ｖｒ２の関係を満たすように逆バイアス電圧を変化させても良い。
【０２０７】
さらに、より多くのセグメント画素を駆動する場合は、セグメント用ＣＯＭ信号生成回路５を複数持たせることにより、第２選択期間４６を時分割して駆動しても良い。
【符号の説明】
【０２０８】
５    セグメント用ＣＯＭ信号生成回路
７    ドット表示部
８    セグメント表示部
９    カラム配線
１０  ドット用ロウ配線
１１  セグメント用ＣＯＭ配線
１２  ドライバＩＣ
１３  ドット表示部の有機ＥＬ画素
１４  セグメント表示部の有機ＥＬ画素
１７  ＲＡＭ
４５  第１選択期間
４６  第２選択期間
４７  電圧変化期間
【図１】
2014194578.tif 000003
【図２】
2014194578.tif 000004
【図３】
2014194578.tif 000005
【図４】
2014194578.tif 000006
【図５】
2014194578.tif 000007
【図６】
2014194578.tif 000008
【図７】
2014194578.tif 000009
【図８】
2014194578.tif 000010
【図９】
2014194578.tif 000011
【図１０】
2014194578.tif 000012
【図１１】
2014194578.tif 000013
【図１２】
2014194578.tif 000014
【図１３】
2014194578.tif 000015
【図１４】
2014194578.tif 000016
【図１５】
2014194578.tif 000017
【図１６】
2014194578.tif 000018
【図１７】
2014194578.tif 000019
【図１８】
2014194578.tif 000020
【図１９】
2014194578.tif 000021
【図２０】
2014194578.tif 000022
【図２１】
2014194578.tif 000023
【図２２】
2014194578.tif 000024
【図２３】
2014194578.tif 000025
【図２４】
2014194578.tif 000026
【図２５】
2014194578.tif 000027
【図２６】
2014194578.tif 000028
【図２７】
2014194578.tif 000029
【図２８】
2014194578.tif 000030
【図２９】
2014194578.tif 000031
【図３０】
2014194578.tif 000032
【図３１】
2014194578.tif 000033
【図３２】
2014194578.tif 000034
【図３３】
2014194578.tif 000035
【図３４】
2014194578.tif 000036
【図３５】
2014194578.tif 000037
【図３６】
2014194578.tif 000038
【図３７】
2014194578.tif 000039
【図３８】
2014194578.tif 000040
【図３９】
2014194578.tif 000041
【図４０】
2014194578.tif 000042
【図４１】
2014194578.tif 000043
【図４２】
2014194578.tif 000044
【図４３】
2014194578.tif 000045
【図４４】
2014194578.tif 000046
【図４５】
2014194578.tif 000047